(57)【要約】【課題】著作権に基づいたコンテンツのコピー制限、再生制限、編集制限を実現する。【解決手段】本発明の情報記録媒体は、情報と、情報に関する著作権を示す著作権情報とを記録するための情報記録媒体であって、著作権情報は、情報の再生を制限するための再生制限情報を含む。上記情報は、オーディオ情報、静止画情報、動画情報およびテキスト情報のうちの少なくとも１つである。再生制限情報は、情報の再生が許可される時間、情報の再生が許可される期限、情報の再生が許可される再生回数、情報の最初の再生時からの再生が許可される期間、情報の再生時のパスワード、情報の再生時の再生品質および情報記録媒体の再生が許可される領域のうちの何れかを示す。【選択図】　図２
2004005939.tif 000002
【特許請求の範囲】
【請求項１】
情報と、
前記情報に関する著作権を示す著作権情報と
を記録するための情報記録媒体であって、
前記著作権情報は、前記情報の再生を制限するための再生制限情報を含む、情報記録媒体。
【請求項２】
前記情報は、オーディオ情報、静止画情報、動画情報およびテキスト情報のうちの少なくとも１つである、請求項１に記載の情報記録媒体。
【請求項３】
前記再生制限情報は、前記情報の再生が許可される時間、前記情報の再生が許可される期限、前記情報の再生が許可される再生回数、前記情報の最初の再生時からの再生が許可される期間、前記情報の再生時のパスワード、前記情報の再生時の再生品質および前記情報記録媒体の再生が許可される領域のうちの何れかを示す、請求項１に記載の情報記録媒体。
【請求項４】
前記再生制限情報は、複数種類の制限の組み合わせによって前記情報の再生が制限されることを示す、請求項１に記載の情報記録媒体。
【請求項５】
前記情報は、第一の情報および前記第一の情報とリンク付けされた第二の情報を含み、
前記再生制限情報は、前記第一の情報の再生が許可される場合には前記第二の情報の再生が許可されることを示す許可情報を含む、請求項１に記載の情報記録媒体。
【請求項６】
前記情報は、第一の情報および前記第一の情報とリンク付けされた第二の情報を含み、
前記再生制限情報は、前記第一の情報の再生が許可されるか否かに関わらず前記第二の情報の再生が許可されることを示す許可情報を含む、請求項１に記載の情報記録媒体。
【請求項７】
情報と、
前記情報の再生を管理するための管理情報と、
前記情報に関する著作権を示す著作権情報と
を記録するための情報記録媒体であって、
前記著作権情報は、前記情報記録媒体のうちの前記情報および前記管理情報が記録される領域とは別の領域に記録される、情報記録媒体。
【請求項８】
前記情報は、オーディオ情報、静止画情報、動画情報およびテキスト情報のうちの少なくとも１つである、請求項７に記載の情報記録媒体。
【請求項９】
前記情報と、前記管理情報と、前記著作権情報とは、互いに別々のファイルに含まれている、請求項７に記載の情報記録媒体。
【請求項１０】
前記情報は複数の部分情報を含み、
前記管理情報は複数の部分管理情報を含み、
前記著作権情報は複数の部分著作権情報を含み、
前記複数の部分管理情報のそれぞれは、前記複数の部分情報のうちの対応する１つの再生に関する管理内容を示し、
前記複数の部分著作権情報のそれぞれは、前記複数の部分情報のうちの対応する１つに関する著作権を示し、
前記複数の部分管理情報および前記複数の部分著作権情報のそれぞれには、互いを識別するための固有情報が付与されており、
前記複数の部分管理情報および前記複数の部分著作権情報のうちの共通の部分情報に対応する部分管理情報および部分著作権情報には同じ固有情報が付与されている、請求項７に記載の情報記録媒体。
【請求項１１】
前記固有情報は正数の通し番号である、請求項１０に記載の情報記録媒体。
【請求項１２】
複数の部分情報を含む情報と、
前記複数の部分情報のうちの特定の部分情報に関する著作権を示す著作権情報と
を記録するための情報記録媒体。
【請求項１３】
前記複数の情報は、オーディオ情報、静止画情報、動画情報およびテキスト情報のうちの少なくとも何れかである、請求項１２に記載の情報記録媒体。
【請求項１４】
第一の情報および前記第一の情報とリンク付けされた第二の情報が記録された情報記録媒体から前記第一の情報を読み取る読取り部と、
前記第一の情報を出力する出力部と、
前記第一の情報を前記情報記録媒体から削除する書込み部と、
前記読取り部および前記書込み部を制御する制御部と
を備え、
前記制御部は、前記第一の情報を前記情報記録媒体とは別の情報記録媒体に移動させる場合には、前記第二の情報を前記情報記録媒体から削除するように前記書込み部を制御する、記録再生装置。
【請求項１５】
前記第一の情報はオーディオ情報および動画情報のうちの少なくとも一方であり、
前記第二の情報は静止画情報およびテキスト情報のうちの少なくとも一方である、請求項１４に記載の記録再生装置。
【請求項１６】
前記第一の情報を前記別の情報記録媒体に移動させる場合には前記第二の情報が前記情報記録媒体から削除されることを表示する表示部をさらに備える、請求項１４に記載の記録再生装置。
【請求項１７】
第一の情報および前記第一の情報とリンク付けされた第二の情報が記録された情報記録媒体から前記第二の情報を読み取る読取り部と、
前記第二の情報を出力する出力部と、
前記第二の情報を前記情報記録媒体から削除する書込み部と、
前記読取り部および前記書込み部を制御する制御部と
を備え、
前記制御部は、前記第二の情報を前記情報記録媒体とは別の情報記録媒体に移動させる場合には、前記第一の情報を前記別の情報記録媒体に移動させるように前記読取り部および前記書込み部を制御する、記録再生装置。
【請求項１８】
前記第一の情報はオーディオ情報および動画情報のうちの少なくとも一方であり、
前記第二の情報は静止画情報およびテキスト情報のうちの少なくとも一方である、請求項１７に記載の記録再生装置。
【請求項１９】
前記情報記録媒体には前記第一の情報の移動が許可されているか否かを示す移動情報がさらに記録されており、
前記読取り部は、前記情報記録媒体から前記移動情報をさらに読み取り、
前記第一の情報の移動が許可されていることを前記移動情報が示す場合には、前記制御部は前記第一の情報と前記第二の情報とを前記別の情報記録媒体に移動させ、
前記第一の情報の移動が許可されていないことを前記移動情報が示す場合には、前記制御部は前記第一の情報と前記第二の情報とを前記別の情報記録媒体に移動させない、請求項１７に記載の記録再生装置。
【請求項２０】
前記情報記録媒体には、前記第二の情報の移動が許可されるか否かは前記第一の情報の移動が許可されているか否かに従うことを示す移動情報がさらに記録されており、
前記読取り部は、前記情報記録媒体から前記移動情報をさらに読み取り、
前記第一の情報の移動が許可されている場合には、前記制御部は前記第一の情報と前記第二の情報とを前記別の情報記録媒体に移動させ、
前記第一の情報の移動が許可されていない場合には、前記制御部は前記第一の情報と前記第二の情報とを前記別の情報記録媒体に移動させない、請求項１７に記載の記録再生装置。
【請求項２１】
第一の情報が記録された情報記録媒体から前記情報記録媒体とは別の情報記録媒体に前記第一の情報を移動させる記録再生装置であって、
前記情報記録媒体から前記第一の情報を読み取る読取り部と、
前記第一の情報を出力する出力部と、
前記第一の情報を前記情報記録媒体から削除する書込み部と、
前記読取り部および前記書込み部を制御する制御部と
を備え、
前記制御部は、前記第一の情報とリンク付けが可能である第二の情報が前記別の情報記録媒体に記録されているか否かを判定し、前記第二の情報が前記別の情報記録媒体に記録されている場合には、前記第一の情報を前記別の情報記録媒体に移動させるように前記読取り部および前記書込み部を制御し、前記第二の情報が前記別の情報記録媒体に記録されていない場合には、前記第一の情報を前記別の情報記録媒体に移動させない、記録再生装置。
【請求項２２】
前記第一の情報は静止画情報およびテキスト情報のうちの少なくとも一方であり、
前記第二の情報はオーディオ情報および動画情報のうちの少なくとも一方である、請求項２１に記載の記録再生装置。
【請求項２３】
情報と前記情報に関する著作権を示す著作権情報とが記録された情報記録媒体から前記情報と前記著作権情報とを読み取る読取り部と、
前記情報を出力する出力部と
を備えた再生装置であって、
前記著作権情報は、前記情報の再生を制限するための再生制限情報を含み、
前記再生装置は、
前記再生制限情報が示す制限に基づいて前記読取り部および前記出力部のうちの少なくとも一方を制御する制御部をさらに備える再生装置。
【請求項２４】
前記情報は、オーディオ情報、静止画情報、動画情報およびテキスト情報のうちの少なくとも１つである、請求項２３に記載の再生装置。
【請求項２５】
メモリ部をさらに備え、
前記制御部は、前記情報の再生に応じて前記再生制限情報を更新して、前記更新された再生制限情報を前記メモリ部に格納する、請求項２３に記載の再生装置。
【請求項２６】
前記制御部は、前記メモリ部に格納された前記更新された再生制限情報が示す制限に基づいて、前記情報の再生を許可するか否かを判定する、請求項２５に記載の再生装置。
【請求項２７】
前記再生制限情報は前記情報の再生が許可される時間を示す許可情報を含み、
前記制御部は、前記情報を再生した時間と前記許可情報が示す時間とに基づいて前記情報の再生が許可される残り時間を計算して、前記計算された残り時間に基づいて前記読取り部を制御する、請求項２３に記載の再生装置。
【請求項２８】
前記制御部は、前記計算された残り時間がゼロになるまでは前記情報を再生するように前記読取り部を制御し、前記計算された残り時間がゼロになれば前記情報を再生しないように前記読取り部を制御する、請求項２７に記載の再生装置。
【請求項２９】
メモリ部をさらに備え、
前記再生制限情報は前記情報の再生が許可される時間を示す許可情報を含み、
前記制御部は、前記情報を再生した時間と前記許可情報が示す時間とに基づいて前記情報の再生が許可される残り時間を計算し、前記計算された残り時間を示す残り時間情報を生成して、前記生成された残り時間情報を前記メモリ部に格納し、
前記制御部は、前記メモリ部に格納された前記残り時間情報が示す残り時間に基づいて前記読取り部を制御する、請求項２３に記載の再生装置。
【請求項３０】
前記再生制限情報は前記情報の再生が許可される時間を示す許可情報を含み、
前記制御部は、前記情報を再生した時間と前記許可情報が示す時間とを比較して、前記比較結果に基づいて前記読取り部を制御する、請求項２３に記載の再生装置。
【請求項３１】
前記制御部は、前記許可情報が示す時間よりも前記情報を再生した時間の方が短ければ前記情報を再生するように前記読取り部を制御し、前記許可情報が示す時間に前記情報を再生した時間がなれば前記情報を再生しないように前記読取り部を制御する、請求項３０に記載の再生装置。
【請求項３２】
メモリ部をさらに備え、
前記再生制限情報は前記情報の再生が許可される時間を示す許可情報を含み、
前記制御部は、前記情報を再生した時間を示す既再生時間情報を生成して、前記生成された既再生時間情報を前記メモリ部に格納し、
前記制御部は、前記メモリ部に格納された前記既再生時間情報が示す時間と前記許可情報が示す時間とを比較して、前記比較結果に基づいて前記読取り部を制御する、請求項２３に記載の再生装置。
【請求項３３】
日時を示すクロック部をさらに備え、
前記再生制限情報は前記情報の再生が許可される期限を示す許可情報を含み、
前記制御部は、前記クロック部が示す日時と前記許可情報が示す期限とを比較して、前記比較結果に基づいて前記読取り部を制御する、請求項２３に記載の再生装置。
【請求項３４】
前記制御部は、前記許可情報が示す期限よりも前記クロック部が示す日時の方が前であれば前記情報を再生するように前記読取り部を制御し、前記許可情報が示す期限よりも前記クロック部が示す日時の方が前でなければ前記情報を再生しないように前記読取り部を制御する、請求項３３に記載の再生装置。
【請求項３５】
前記再生制限情報は前記情報記録媒体のうちの再生が許可される領域を示す許可情報を含み、
前記再生が許可される領域には前記情報のうちの一部が記録されており、
前記制御部は、前記再生が許可される領域に記録されている前記情報のうちの一部を再生するように前記読取り部を制御する、請求項２３に記載の再生装置。
【請求項３６】
前記再生制限情報は前記情報の再生が許可される再生回数を示す許可情報を含み、
前記制御部は、前記情報を再生した再生回数と前記許可情報が示す再生回数とに基づいて前記情報の再生が許可される残りの再生回数を計算して、前記計算された残りの再生回数に基づいて前記読取り部を制御する、請求項２３に記載の再生装置。
【請求項３７】
前記制御部は、前記計算された残りの再生回数がゼロになるまでは前記情報を再生するように前記読取り部を制御し、前記計算された残りの再生回数がゼロになれば前記情報を再生しないように前記読取り部を制御する、請求項３６に記載の再生装置。
【請求項３８】
メモリ部をさらに備え、
前記再生制限情報は前記情報の再生が許可される再生回数を示す許可情報を含み、
前記制御部は、前記情報を再生した再生回数と前記許可情報が示す再生回数とに基づいて前記情報の再生が許可される残りの再生回数を計算し、前記計算された残りの再生回数を示す残り再生回数情報を生成して、前記生成された残り再生回数情報を前記メモリ部に格納し、
前記制御部は、前記メモリ部に格納された前記残り再生回数情報が示す残りの再生回数に基づいて前記読取り部を制御する、請求項２３に記載の再生装置。
【請求項３９】
前記再生制限情報は前記情報の再生が許可される再生回数を示す許可情報を含み、
前記制御部は、前記情報を再生した再生回数と前記許可情報が示す再生回数とを比較して、前記比較結果に基づいて前記読取り部を制御する、請求項２３に記載の再生装置。
【請求項４０】
前記制御部は、前記許可情報が示す再生回数よりも前記情報を再生した再生回数の方が小さければ前記情報を再生するように前記読取り部を制御し、前記許可情報が示す再生回数に前記情報を再生した再生回数がなれば前記情報を再生しないように前記読取り部を制御する、請求項３９に記載の再生装置。
【請求項４１】
メモリ部をさらに備え、
前記再生制限情報は前記情報の再生が許可される再生回数を示す許可情報を含み、
前記制御部は、前記情報を再生した再生回数を示す既再生回数情報を生成して、前記生成された既再生回数情報を前記メモリ部に格納し、
前記制御部は、前記メモリ部に格納された前記既再生回数情報が示す再生回数と前記許可情報が示す再生回数とを比較して、前記比較結果に基づいて前記読取り部を制御する、請求項２３に記載の再生装置。
【請求項４２】
日時を示すクロック部をさらに備え、
前記再生制限情報は、前記情報の最初の再生時からの再生が許可される期間を示す許可情報を含み、
前記制御部は、前記情報を最初に再生した日時を前記クロック部が示す日時から特定して、前記情報を最初に再生した日時と前記許可情報が示す期間とに基づいて前記情報の再生が許可される期限を計算し、
前記制御部は、前記クロック部が示す日時と前記計算された期限とを比較して、前記比較結果に基づいて前記読取り部を制御する、請求項２３に記載の再生装置。
【請求項４３】
前記制御部は、前記クロック部が示す日時が前記計算された期限よりも前であれば前記情報を再生するように前記読取り部を制御し、前記クロック部が示す日時が前記計算された期限よりも前でなければ前記情報を再生しないように前記読取り部を制御する、請求項４２に記載の再生装置。
【請求項４４】
日時を示すクロック部と、
メモリ部と
をさらに備え、
前記再生制限情報は、前記情報の最初の再生時からの再生が許可される期間を示す許可情報を含み、
前記制御部は、前記情報を最初に再生した日時を前記クロック部が示す日時から特定して、前記情報を最初に再生した日時と前記許可情報が示す期間とに基づいて前記情報の再生が許可される期限を計算し、前記計算された期限を示す期限情報を生成して、前記生成した期限情報を前記メモリ部に格納し、
前記制御部は、前記メモリ部に格納された前記期限情報が示す期限と前記クロック部が示す日時とを比較して、前記比較結果に基づいて前記読取り部を制御する、請求項２３に記載の再生装置。
【請求項４５】
前記制御部は、前記情報を最初に再生した日時を示す初回再生日時情報を生成して、前記生成した初回再生日時情報を前記メモリ部に格納し、
前記制御部は、前記メモリ部に格納された前記初回再生日時情報が示す日時と前記クロック部が示す日時とを比較し、前記メモリ部に格納された前記期限情報が示す期限と前記クロック部が示す日時とを比較した前記比較結果と、前記メモリ部に格納された前記初回再生日時情報が示す日時と前記クロック部が示す日時とを比較した比較結果とに基づいて前記読取り部を制御する、請求項４４に記載の再生装置。
【請求項４６】
前記再生制限情報は、前記情報の再生時の再生品質を示す再生品質情報を含み、
前記制御部は、前記再生品質情報が示す再生品質で前記情報を再生するように前記出力部を制御する、請求項２３に記載の再生装置。
【請求項４７】
前記情報は、第一の情報および前記第一の情報とリンク付けされた第二の情報を含み、
前記再生制限情報は、前記第一の情報の再生を制限するための第一の再生制限情報と前記第二の情報の再生を制限するための第二の再生制限情報とを含み、
前記第二の再生制限情報は、前記第一の情報の再生が許可される場合には前記第二の情報の再生が許可されることを示す許可情報を含み、
前記制御部は、前記第一の再生制限情報に基づいて前記第一の情報の再生を許可するか否かを判定し、前記第一の情報の再生を許可する場合には前記第二の情報の再生を許可し、前記第一の情報の再生を許可しない場合には前記第二の情報の再生を許可しない、請求項２３に記載の再生装置。
【請求項４８】
前記情報は、第一の情報および前記第一の情報とリンク付けされた第二の情報を含み、
前記再生制限情報は前記第一の情報の再生が許可されるか否かに関わらず前記第二の情報の再生が許可されることを示す許可情報を含み、
前記制御部は、前記第一の情報の再生が許可されるか否かに関わらず前記第二の情報の再生を許可する、請求項２３に記載の再生装置。
【請求項４９】
情報と前記情報に関する著作権を示す著作権情報とを取得する取得部と、
前記情報を情報記録媒体に書き込む書込み部と、
前記書込み部を制御する制御部と
を備え、
前記制御部は、前記情報の再生を制限するための再生制限情報を前記著作権情報が含むか否かを判定し、前記著作権情報が前記再生制限情報を含む場合には、前記情報を前記情報記録媒体に書き込まないように前記書込み部を制御する、記録再生装置。
【請求項５０】
前記情報は、オーディオ情報、静止画情報、動画情報およびテキスト情報のうちの少なくとも１つである、請求項４９に記載の記録再生装置。
【請求項５１】
前記著作権情報が前記再生制限情報を含まない場合には、前記制御部は前記情報を前記情報記録媒体に書き込むように前記書込み部を制御する、請求項４９に記載の記録再生装置。
【請求項５２】
前記著作権情報が前記再生制限情報を含む場合には前記情報の前記情報記録媒体への書き込みが出来ないことを表示する表示部をさらに備える、請求項４９に記載の記録再生装置。
【請求項５３】
情報と前記情報に関する著作権を示す著作権情報とが記録された情報記録媒体から前記情報と前記著作権情報とを読み取る読取り部と、
前記情報を出力する出力部と、
前記読取り部を制御する制御部と
を備え、
前記制御部は、前記情報の再生を制限するための再生制限情報を前記著作権情報が含むか否かを判定し、前記著作権情報が前記再生制限情報を含む場合には、前記情報を再生しないように前記読取り部を制御する、再生装置。
【請求項５４】
前記情報は、オーディオ情報、静止画情報、動画情報およびテキスト情報のうちの少なくとも１つである、請求項５３に記載の再生装置。
【請求項５５】
前記著作権情報が前記再生制限情報を含まない場合には、前記制御部は前記情報を再生するように前記読取り部を制御する、請求項５３に記載の再生装置。
【請求項５６】
前記著作権情報が前記再生制限情報を含む場合には前記情報の再生が出来ないことを表示する表示部をさらに備える、請求項５３に記載の再生装置。
【請求項５７】
情報記録媒体に記録された第一の情報を前記情報記録媒体から削除する書込み部と、
前記書込み部を制御する制御部と
を備え、
前記制御部は、前記情報記録媒体に前記第一の情報とリンク付けされた第二の情報が記録されているか否かを判定し、前記情報記録媒体に前記第二の情報が記録されている場合には、前記第一の情報を前記情報記録媒体から削除するとともに前記第二の情報を前記情報記録媒体から削除するように前記書込み部を制御し、前記情報記録媒体に前記第二の情報が記録されていない場合には、前記第一の情報を前記情報記録媒体から削除するように前記書込み部を制御する記録再生装置。
【請求項５８】
前記第一の情報はオーディオ情報および動画情報のうちの少なくとも一方であり、
前記第二の情報は静止画情報およびテキスト情報のうちの少なくとも一方である、請求項５７に記載の記録再生装置。
【請求項５９】
第一の情報と、
前記第一の情報とリンク付けされた第二の情報と、
を記録するための情報記録媒体であって、
前記第二の情報は、前記第一の情報を特定するための固有情報を含む、情報記録媒体。
【請求項６０】
前記第一の情報はオーディオ情報および動画情報のうちの少なくとも一方であり、
前記第二の情報は静止画情報およびテキスト情報のうちの少なくとも一方である、請求項５９に記載の情報記録媒体。
【請求項６１】
前記第一の情報に関する著作権を示す著作権情報をさらに記録し、
前記著作権情報は、前記固有情報と同じ固有情報を含む、請求項５９に記載の情報記録媒体。
【請求項６２】
前記第二の情報は、所定の情報単位毎に分割された複数の部分情報を含み、
前記複数の部分情報のうちの所定の部分情報が前記固有情報を含む、請求項５９に記載の情報記録媒体。
【請求項６３】
第一の情報および第二の情報が記録された情報記録媒体から、前記第一の情報および前記第二の情報を読取る読取部と、
前記第一の情報を出力する出力部と、
前記出力部を制御する制御部と
を備え、
前記制御部は、前記第二の情報が前記第一の情報を特定するための固有情報を含むか否かを判定し、前記第二の情報が前記固有情報を含む場合には、前記第一の情報と前記第二の情報とを再生するように前記出力部を制御し、前記第二の情報が前記固有情報を含まない場合には、前記第一の情報は再生するが前記第二の情報は再生しないように前記出力部を制御する、再生装置。
【請求項６４】
前記第一の情報はオーディオ情報および動画情報のうちの少なくとも一方であり、
前記第二の情報は静止画情報およびテキスト情報のうちの少なくとも一方である、請求項６３に記載の再生装置。
【請求項６５】
前記情報記録媒体には前記第一の情報に関する著作権を示す著作権情報がさらに記録されており、
前記著作権情報は、前記固有情報と同じ固有情報を含み、
前記制御部は、前記著作権情報と前記第二の情報とを比較することにより、前記第二の情報が前記固有情報を含むか否かを判定する、請求項６３に記載の再生装置。
【発明の詳細な説明】
【０００１】
【発明の属する技術分野】
本発明は、書き換え可能な情報記録媒体と情報記録媒体を用いる再生装置、記録装置および記録再生装置に関する。特に、配信された音楽コンテンツを記録する情報記録媒体を用いる再生装置、記録装置および記録再生装置に関する。
【０００２】
【従来の技術】
近年、各種の圧縮符号化方式が発明されたことと、インターネット技術の急速な普及に伴い、多くの電子音楽配信システムがサービスを開始している。これらのシステムでは、ＭＰ３等の圧縮符号化方式を利用することにより、帯域の狭いネットワークを利用している場合でも、適度な時間で楽曲を利用者に配信することを可能としている。最近では、楽曲だけでなく、静止画や動画、テキストなども一緒に配信しているシステムもある。
【０００３】
こうした電子音楽配信システムでは、従来とは異なるコピー制御方式が採用されていることが多い。従来のコピー制御方式は世代管理型のコピーであり、オリジナルの媒体からコピーを作成することは許可するものの、さらに孫コピーを作ることはできないように管理されている。一方、電子音楽配信システムでは、移動と呼ばれる手法が利用されることが多い。移動は、オリジナルの媒体から他の媒体へとコンテンツをコピーするものであり、この際にはオリジナルの媒体に存在していたコンテンツは使用不可能にされる。さらに、作成されたコピー先のコンテンツは、再びオリジナルの媒体のコンテンツとして、他の媒体への移動が許可されることが多い。また、これらのコピー制御方式を実現するために、各コンテンツにはそれぞれを一意に特定するための固有情報が付与されており、配信時にはこれら固有情報も配信される。固有情報としては、例えば、ＩＳＲＣ（Ｉｎｔｅｒｎａｔｉｏｎａｌ　Ｓｔａｎｄａｒｄ　Ｒｅｃｏｒｄｉｎｇ　Ｃｏｄｅ）が挙げられる。
【０００４】
また、電子音楽配信システムで配信されるコンテンツには、ある条件の元でのみコンテンツの再生を許可するという再生制限が含まれていることがある。再生制限には、例えば、コンテンツを再生できる回数を指定したり、再生が許可される期限を設けることなどが考えられる。このような再生制限はコンテンツの配信側が設定するものであり、プレーヤは設定された再生制限に基づいて正しくコンテンツを再生することが求められる。
【０００５】
【発明が解決しようとする課題】
現在、電子音楽配信システムによって配信されるコンテンツを民生機器で記録・再生することが望まれており、ＤＶＤ−ＲＡＭを利用した家庭用オーディオレコーダ・プレーヤで配信コンテンツを記録・再生することが考えられる。この場合、配信システムで決められたコピー制御方式（従来の世代型管理や移動の管理）を実現したり、設定された再生制限に基づいて正しくコンテンツを再生する必要がある。また、ほとんどの配信コンテンツは著作権を主張しているため、コンテンツ自体の編集の許可・不許可を扱う必要がある。さらには、配信コンテンツには、楽曲と静止画とテキストとが含まれることがあり、それらコンテンツ間のリンク関係、楽曲と静止画およびテキストとのリンク関係の変更の許可・不許可なども扱う必要がある。
【０００６】
本発明は上記課題を解決するためになされ、著作権に基づいたコンテンツのコピー制限、再生制限、編集制限を実現する情報記録媒体、再生装置、記録装置および記録再生装置を提供することを目的とする。
【０００７】
【課題を解決するための手段】
本発明の情報記録媒体は、情報と、情報に関する著作権を示す著作権情報とを記録するための情報記録媒体であって、著作権情報は、情報の再生を制限するための再生制限情報を含み、そのことにより上記目的が達成されるが。
【０００８】
情報は、オーディオ情報、静止画情報、動画情報およびテキスト情報のうちの少なくとも１つであってもよい。
【０００９】
再生制限情報は、情報の再生が許可される時間、情報の再生が許可される期限、情報の再生が許可される再生回数、情報の最初の再生時からの再生が許可される期間、情報の再生時のパスワード、情報の再生時の再生品質および情報記録媒体の再生が許可される領域のうちの何れかを示してもよい。
【００１０】
再生制限情報は、複数種類の制限の組み合わせによって情報の再生が制限されることを示してもよい。
【００１１】
情報は、第一の情報および第一の情報とリンク付けされた第二の情報を含み、再生制限情報は、第一の情報の再生が許可される場合には第二の情報の再生が許可されることを示す許可情報を含んでもよい。
【００１２】
情報は、第一の情報および第一の情報とリンク付けされた第二の情報を含み、再生制限情報は、第一の情報の再生が許可されるか否かに関わらず第二の情報の再生が許可されることを示す許可情報を含んでもよい。
【００１３】
本発明の情報記録媒体は、情報と、情報の再生を管理するための管理情報と、情報に関する著作権を示す著作権情報とを記録するための情報記録媒体であって、著作権情報は、情報記録媒体のうちの情報および管理情報が記録される領域とは別の領域に記録され、そのことにより上記目的が達成される。
【００１４】
情報は、オーディオ情報、静止画情報、動画情報およびテキスト情報のうちの少なくとも１つであってもよい。
【００１５】
情報と、管理情報と、著作権情報とは、互いに別々のファイルに含まれていてもよい。
【００１６】
情報は複数の部分情報を含み、管理情報は複数の部分管理情報を含み、
著作権情報は複数の部分著作権情報を含み、複数の部分管理情報のそれぞれは、複数の部分情報のうちの対応する１つの再生に関する管理内容を示し、複数の部分著作権情報のそれぞれは、複数の部分情報のうちの対応する１つに関する著作権を示し、複数の部分管理情報および複数の部分著作権情報のそれぞれには、互いを識別するための固有情報が付与されており、複数の部分管理情報および複数の部分著作権情報のうちの共通の部分情報に対応する部分管理情報および部分著作権情報には同じ固有情報が付与されていてもよい。
【００１７】
固有情報は正数の通し番号であってもよい。
【００１８】
本発明の情報記録媒体は、複数の部分情報を含む情報と、複数の部分情報のうちの特定の部分情報に関する著作権を示す著作権情報とを記録し、そのことにより上記目的が達成される。
【００１９】
複数の情報は、オーディオ情報、静止画情報、動画情報およびテキスト情報のうちの少なくとも何れかであってもよい。
【００２０】
本発明の記録再生装置は、第一の情報および第一の情報とリンク付けされた第二の情報が記録された情報記録媒体から第一の情報を読み取る読取り部と、第一の情報を出力する出力部と、第一の情報を情報記録媒体から削除する書込み部と読取り部および書込み部を制御する制御部とを備え、制御部は、第一の情報を情報記録媒体とは別の情報記録媒体に移動させる場合には、第二の情報を情報記録媒体から削除するように書込み部を制御し、そのことにより上記目的が達成される。
【００２１】
第一の情報はオーディオ情報および動画情報のうちの少なくとも一方であり、第二の情報は静止画情報およびテキスト情報のうちの少なくとも一方であってもよい。
【００２２】
第一の情報を別の情報記録媒体に移動させる場合には第二の情報が情報記録媒体から削除されることを表示する表示部をさらに備えてもよい。
【００２３】
本発明の記録再生装置は、第一の情報および第一の情報とリンク付けされた第二の情報が記録された情報記録媒体から第二の情報を読み取る読取り部と、第二の情報を出力する出力部と、第二の情報を情報記録媒体から削除する書込み部と、読取り部および書込み部を制御する制御部とを備え、制御部は、第二の情報を情報記録媒体とは別の情報記録媒体に移動させる場合には、第一の情報を別の情報記録媒体に移動させるように読取り部および書込み部を制御し、そのことにより上記目的が達成される。
【００２４】
第一の情報はオーディオ情報および動画情報のうちの少なくとも一方であり、第二の情報は静止画情報およびテキスト情報のうちの少なくとも一方であってもよい。
【００２５】
情報記録媒体には第一の情報の移動が許可されているか否かを示す移動情報がさらに記録されており、読取り部は、情報記録媒体から移動情報をさらに読み取り、第一の情報の移動が許可されていることを移動情報が示す場合には、制御部は第一の情報と第二の情報とを別の情報記録媒体に移動させ、第一の情報の移動が許可されていないことを移動情報が示す場合には、制御部は第一の情報と第二の情報とを別の情報記録媒体に移動させなくてもよい。
【００２６】
情報記録媒体には、第二の情報の移動が許可されるか否かは第一の情報の移動が許可されているか否かに従うことを示す移動情報がさらに記録されており、読取り部は、情報記録媒体から移動情報をさらに読み取り、第一の情報の移動が許可されている場合には、制御部は第一の情報と第二の情報とを別の情報記録媒体に移動させ、第一の情報の移動が許可されていない場合には、制御部は第一の情報と第二の情報とを別の情報記録媒体に移動させなくてもよい。
【００２７】
本発明の記録再生装置は、第一の情報が記録された情報記録媒体から情報記録媒体とは別の情報記録媒体に第一の情報を移動させる記録再生装置であって、情報記録媒体から第一の情報を読み取る読取り部と、第一の情報を出力する出力部と、第一の情報を情報記録媒体から削除する書込み部と、読取り部および書込み部を制御する制御部とを備え、制御部は、第一の情報とリンク付けが可能である第二の情報が別の情報記録媒体に記録されているか否かを判定し、第二の情報が別の情報記録媒体に記録されている場合には、第一の情報を別の情報記録媒体に移動させるように読取り部および書込み部を制御し、第二の情報が別の情報記録媒体に記録されていない場合には、第一の情報を別の情報記録媒体に移動させず、そのことにより上記目的が達成される。
【００２８】
第一の情報は静止画情報およびテキスト情報のうちの少なくとも一方であり、第二の情報はオーディオ情報および動画情報のうちの少なくとも一方であってもよい。
【００２９】
本発明の再生装置は、情報と情報に関する著作権を示す著作権情報とが記録された情報記録媒体から情報と著作権情報とを読み取る読取り部と、情報を出力する出力部とを備えた再生装置であって、著作権情報は、情報の再生を制限するための再生制限情報を含み、再生装置は、再生制限情報が示す制限に基づいて読取り部および出力部のうちの少なくとも一方を制御する制御部をさらに備え、そのことにより上記目的が達成される。
【００３０】
情報は、オーディオ情報、静止画情報、動画情報およびテキスト情報のうちの少なくとも１つであってもよい。
【００３１】
メモリ部をさらに備え、制御部は、情報の再生に応じて再生制限情報を更新して、更新された再生制限情報をメモリ部に格納してもよい。
【００３２】
制御部は、メモリ部に格納された更新された再生制限情報が示す制限に基づいて、情報の再生を許可するか否かを判定してもよい。
【００３３】
再生制限情報は情報の再生が許可される時間を示す許可情報を含み、制御部は、情報を再生した時間と許可情報が示す時間とに基づいて情報の再生が許可される残り時間を計算して、計算された残り時間に基づいて読取り部を制御してもよい。
【００３４】
制御部は、計算された残り時間がゼロになるまでは情報を再生するように読取り部を制御し、計算された残り時間がゼロになれば情報を再生しないように読取り部を制御してもよい。
【００３５】
メモリ部をさらに備え、再生制限情報は情報の再生が許可される時間を示す許可情報を含み、制御部は、情報を再生した時間と許可情報が示す時間とに基づいて情報の再生が許可される残り時間を計算し、計算された残り時間を示す残り時間情報を生成して、生成された残り時間情報をメモリ部に格納し、制御部は、メモリ部に格納された残り時間情報が示す残り時間に基づいて読取り部を制御してもよい。
【００３６】
再生制限情報は情報の再生が許可される時間を示す許可情報を含み、制御部は、情報を再生した時間と許可情報が示す時間とを比較して、比較結果に基づいて読取り部を制御してもよい。
【００３７】
制御部は、許可情報が示す時間よりも情報を再生した時間の方が短ければ情報を再生するように読取り部を制御し、許可情報が示す時間に情報を再生した時間がなれば情報を再生しないように読取り部を制御してもよい。
【００３８】
メモリ部をさらに備え、再生制限情報は情報の再生が許可される時間を示す許可情報を含み、制御部は、情報を再生した時間を示す既再生時間情報を生成して、生成された既再生時間情報をメモリ部に格納し、制御部は、メモリ部に格納された既再生時間情報が示す時間と許可情報が示す時間とを比較して、比較結果に基づいて読取り部を制御してもよい。
【００３９】
日時を示すクロック部をさらに備え、再生制限情報は情報の再生が許可される期限を示す許可情報を含み、制御部は、クロック部が示す日時と許可情報が示す期限とを比較して、比較結果に基づいて読取り部を制御してもよい。
【００４０】
制御部は、許可情報が示す期限よりもクロック部が示す日時の方が前であれば情報を再生するように読取り部を制御し、許可情報が示す期限よりもクロック部が示す日時の方が前でなければ情報を再生しないように読取り部を制御してもよい。
【００４１】
再生制限情報は情報記録媒体のうちの再生が許可される領域を示す許可情報を含み、再生が許可される領域には情報のうちの一部が記録されており、制御部は、再生が許可される領域に記録されている情報のうちの一部を再生するように読取り部を制御してもよい。
【００４２】
再生制限情報は情報の再生が許可される再生回数を示す許可情報を含み、制御部は、情報を再生した再生回数と許可情報が示す再生回数とに基づいて情報の再生が許可される残りの再生回数を計算して、計算された残りの再生回数に基づいて読取り部を制御してもよい。
【００４３】
制御部は、計算された残りの再生回数がゼロになるまでは情報を再生するように読取り部を制御し、計算された残りの再生回数がゼロになれば情報を再生しないように読取り部を制御してもよい。
【００４４】
メモリ部をさらに備え、再生制限情報は情報の再生が許可される再生回数を示す許可情報を含み、制御部は、情報を再生した再生回数と許可情報が示す再生回数とに基づいて情報の再生が許可される残りの再生回数を計算し、計算された残りの再生回数を示す残り再生回数情報を生成して、生成された残り再生回数情報をメモリ部に格納し、制御部は、メモリ部に格納された残り再生回数情報が示す残りの再生回数に基づいて読取り部を制御してもよい。
【００４５】
再生制限情報は情報の再生が許可される再生回数を示す許可情報を含み、制御部は、情報を再生した再生回数と許可情報が示す再生回数とを比較して、比較結果に基づいて読取り部を制御してもよい。
【００４６】
制御部は、許可情報が示す再生回数よりも情報を再生した再生回数の方が小さければ情報を再生するように読取り部を制御し、許可情報が示す再生回数に情報を再生した再生回数がなれば情報を再生しないように読取り部を制御してもよい。
【００４７】
メモリ部をさらに備え、再生制限情報は情報の再生が許可される再生回数を示す許可情報を含み、制御部は、情報を再生した再生回数を示す既再生回数情報を生成して、生成された既再生回数情報をメモリ部に格納し、制御部は、メモリ部に格納された既再生回数情報が示す再生回数と許可情報が示す再生回数とを比較して、比較結果に基づいて読取り部を制御してもよい。
【００４８】
日時を示すクロック部をさらに備え、再生制限情報は、情報の最初の再生時からの再生が許可される期間を示す許可情報を含み、制御部は、情報を最初に再生した日時をクロック部が示す日時から特定して、情報を最初に再生した日時と許可情報が示す期間とに基づいて情報の再生が許可される期限を計算し、
制御部は、クロック部が示す日時と計算された期限とを比較して、比較結果に基づいて読取り部を制御してもよい。
【００４９】
制御部は、クロック部が示す日時が計算された期限よりも前であれば情報を再生するように読取り部を制御し、クロック部が示す日時が計算された期限よりも前でなければ情報を再生しないように読取り部を制御してもよい。
【００５０】
日時を示すクロック部と、メモリ部とをさらに備え、再生制限情報は、情報の最初の再生時からの再生が許可される期間を示す許可情報を含み、制御部は、情報を最初に再生した日時をクロック部が示す日時から特定して、情報を最初に再生した日時と許可情報が示す期間とに基づいて情報の再生が許可される期限を計算し、計算された期限を示す期限情報を生成して、生成した期限情報をメモリ部に格納し、制御部は、メモリ部に格納された期限情報が示す期限とクロック部が示す日時とを比較して、比較結果に基づいて読取り部を制御してもよい。
【００５１】
制御部は、情報を最初に再生した日時を示す初回再生日時情報を生成して、生成した初回再生日時情報をメモリ部に格納し、制御部は、メモリ部に格納された初回再生日時情報が示す日時とクロック部が示す日時とを比較し、メモリ部に格納された期限情報が示す期限とクロック部が示す日時とを比較した比較結果と、メモリ部に格納された初回再生日時情報が示す日時とクロック部が示す日時とを比較した比較結果とに基づいて読取り部を制御してもよい。
【００５２】
再生制限情報は、情報の再生時の再生品質を示す再生品質情報を含み、制御部は、再生品質情報が示す再生品質で情報を再生するように出力部を制御してもよい。
【００５３】
情報は、第一の情報および第一の情報とリンク付けされた第二の情報を含み、再生制限情報は、第一の情報の再生を制限するための第一の再生制限情報と第二の情報の再生を制限するための第二の再生制限情報とを含み、第二の再生制限情報は、第一の情報の再生が許可される場合には第二の情報の再生が許可されることを示す許可情報を含み、制御部は、第一の再生制限情報に基づいて第一の情報の再生を許可するか否かを判定し、第一の情報の再生を許可する場合には第二の情報の再生を許可し、第一の情報の再生を許可しない場合には第二の情報の再生を許可しなくてもよい。
【００５４】
情報は、第一の情報および第一の情報とリンク付けされた第二の情報を含み、再生制限情報は第一の情報の再生が許可されるか否かに関わらず第二の情報の再生が許可されることを示す許可情報を含み、制御部は、第一の情報の再生が許可されるか否かに関わらず第二の情報の再生を許可してもよい。
【００５５】
本発明の記録再生装置は、情報と情報に関する著作権を示す著作権情報とを取得する取得部と、情報を情報記録媒体に書き込む書込み部と、書込み部を制御する制御部とを備え、制御部は、情報の再生を制限するための再生制限情報を著作権情報が含むか否かを判定し、著作権情報が再生制限情報を含む場合には、情報を情報記録媒体に書き込まないように書込み部を制御し、そのことにより上記目的が達成される。
【００５６】
情報は、オーディオ情報、静止画情報、動画情報およびテキスト情報のうちの少なくとも１つであってもよい。
【００５７】
著作権情報が再生制限情報を含まない場合には、制御部は情報を情報記録媒体に書き込むように書込み部を制御してもよい。
【００５８】
著作権情報が再生制限情報を含む場合には情報の情報記録媒体への書き込みが出来ないことを表示する表示部をさらに備えてもよい。
【００５９】
本発明の再生装置は、情報と情報に関する著作権を示す著作権情報とが記録された情報記録媒体から情報と著作権情報とを読み取る読取り部と、情報を出力する出力部と、読取り部を制御する制御部とを備え、制御部は、情報の再生を制限するための再生制限情報を著作権情報が含むか否かを判定し、著作権情報が再生制限情報を含む場合には、情報を再生しないように読取り部を制御し、そのことにより上記目的が達成される。
【００６０】
情報は、オーディオ情報、静止画情報、動画情報およびテキスト情報のうちの少なくとも１つであってもよい。
【００６１】
著作権情報が再生制限情報を含まない場合には、制御部は情報を再生するように読取り部を制御してもよい。
【００６２】
著作権情報が再生制限情報を含む場合には情報の再生が出来ないことを表示する表示部をさらに備えてもよい。
【００６３】
本発明の記録再生装置は、情報記録媒体に記録された第一の情報を情報記録媒体から削除する書込み部と、書込み部を制御する制御部とを備え、制御部は、情報記録媒体に第一の情報とリンク付けされた第二の情報が記録されているか否かを判定し、情報記録媒体に第二の情報が記録されている場合には、第一の情報を情報記録媒体から削除するとともに第二の情報を情報記録媒体から削除するように書込み部を制御し、情報記録媒体に第二の情報が記録されていない場合には、第一の情報を情報記録媒体から削除するように書込み部を制御し、そのことにより上記目的が達成される。
【００６４】
第一の情報はオーディオ情報および動画情報のうちの少なくとも一方であり、第二の情報は静止画情報およびテキスト情報のうちの少なくとも一方であってもよい。
【００６５】
本発明の情報記録媒体は、第一の情報と、第一の情報とリンク付けされた第二の情報と、を記録するための情報記録媒体であって、第二の情報は、第一の情報を特定するための固有情報を含み、そのことにより上記目的が達成される。
【００６６】
第一の情報はオーディオ情報および動画情報のうちの少なくとも一方であり、第二の情報は静止画情報およびテキスト情報のうちの少なくとも一方であってもよい。
【００６７】
第一の情報に関する著作権を示す著作権情報をさらに記録し、著作権情報は、固有情報と同じ固有情報を含んでもよい。
【００６８】
第二の情報は、所定の情報単位毎に分割された複数の部分情報を含み、複数の部分情報のうちの所定の部分情報が固有情報を含んでもよい。
【００６９】
本発明の再生装置は、第一の情報および第二の情報が記録された情報記録媒体から、第一の情報および第二の情報を読取る読取部と、第一の情報を出力する出力部と、出力部を制御する制御部とを備え、制御部は、第二の情報が第一の情報を特定するための固有情報を含むか否かを判定し、第二の情報が固有情報を含む場合には、第一の情報と第二の情報とを再生するように出力部を制御し、第二の情報が固有情報を含まない場合には、第一の情報は再生するが第二の情報は再生しないように出力部を制御し、そのことにより上記目的が達成される。
【００７０】
第一の情報はオーディオ情報および動画情報のうちの少なくとも一方であり、第二の情報は静止画情報およびテキスト情報のうちの少なくとも一方であってもよい。
【００７１】
情報記録媒体には第一の情報に関する著作権を示す著作権情報がさらに記録されており、著作権情報は、固有情報と同じ固有情報を含み、制御部は、著作権情報と第二の情報とを比較することにより、第二の情報が固有情報を含むか否かを判定してもよい。
【００７２】
【発明の実施の形態】
以下、本発明の実施の形態を図面を参照して説明する。
【００７３】
（実施の形態１）
図１に本発明の実施の形態１の情報記録媒体１００を示す。情報記録媒体１００は例えばＤＶＤ−ＲＡＭディスクである。情報記録媒体１００は、オーディオ情報を含むオーディオ情報ファイル１０２と、静止画情報を含む静止画情報ファイル１０３と、オーディオ情報および静止画情報の再生を管理するための管理情報を含む管理情報ファイル１０１とを含む。
【００７４】
管理情報ファイル１０１は、図２に示すように、オーディオ管理情報１０４、１０５、１０６と静止画管理情報１０７、１０８、１０９とを含む。各オーディオ管理情報１０４、１０５、１０６は、情報記録媒体１００のある一区間に記録されているオーディオ情報に関する情報であり、例えばオーディオ属性情報や、オーディオ情報の記録開始アドレス等を含む。なお、一区間のオーディオ情報とは、例えば、楽曲の１曲に相当するオーディオ情報を指す。
【００７５】
また、各静止画管理情報１０７、１０８、１０９は、静止画情報ファイル１０３が含む一つ以上の静止画情報に関する情報であり、例えば、静止画属性情報や、静止画情報の記録開始アドレス等を含む。一つ以上の静止画情報は、例えば、ある楽曲を示すオーディオ情報の再生中に表示される一つ以上の静止画を示す。なお、本発明の説明において、あるオーディオ情報の再生中にある静止画情報が表示される場合、そのオーディオ情報とその静止画情報とはリンク付けされていると呼ぶ。また、そのリンクに関する情報は、管理情報ファイル１０１が含む。
【００７６】
オーディオ管理情報１０４は、対応するオーディオ情報に関する著作権を示すオーディオ著作権情報１１０を含む。静止画管理情報１０７は、対応する静止画情報に関する著作権を示す静止画著作権情報１１１を含む。オーディオ著作権情報１１０は、オーディオ固有情報１１２と、オーディオコピー制御情報１１３と、オーディオ再生制限情報１１４と、オーディオ編集制限情報１１５とを含む。オーディオ固有情報１１２は、オーディオ情報を一意に特定するために使用される情報であり、例えばＩＳＲＣコードなどである。
【００７７】
またオーディオコピー制御情報１１３は、オーディオ情報のコピーや移動に関する情報である。図３に示すように、オーディオコピー制御情報１１３は、オーディオコピー情報１２０と、オーディオ移動情報１２１と、コピー回数情報１２２と、コピー品質情報１２３とを含む。オーディオコピー情報１２０は、オーディオ情報のコピー許可に関する情報であり、コピーを無制限に許可することを示すコピー自由情報か、孫コピーを禁止することを示す１世代コピー許可情報か、コピーを禁止することを示すコピー禁止情報の何れかを含む。またオーディオ移動情報１２１は、オーディオ情報の移動の許可および不許可に関する情報であり、移動を許可することを示す移動許可情報か、或いは移動を禁止することを示す移動禁止情報の何れかを含む。コピー回数情報１２２は、許可されるコピーの回数を指定する情報であり、許可されるコピー回数またはコピー回数が無制限であることを示す。コピー品質情報１２３は、コピーされるオーディオ情報の品質を指定する情報であり、例えば、２チャンネルかつＣＤ音質を指定する２チャンネルＣＤ音質、２チャンネルで音質は指定しない２チャンネル高音質、チャンネル数と音質は指定しないマルチチャンネル高音質、ＣＤ音質でチャンネル数は指定しないマルチチャンネルＣＤ音質等の何れかを示す。
【００７８】
オーディオ著作権情報１１０が含むオーディオ再生制限情報１１４は、オーディオ情報の再生条件を示す情報（すなわちオーディオ情報の再生を制限するための情報）である。オーディオ再生制限情報１１４は、再生を許可する条件を示す許可情報として、図４に示す再生許可時間情報１２４と、再生許可期限情報１２５と、再生許可領域情報１２６と、再生許可回数情報１２７と、初回再生時以降再生許可期間情報１２８と、パスワード情報１２９と、再生品質情報１３０とのうちの少なくとも一つを含む。
【００７９】
再生許可時間情報１２４は、オーディオ情報の再生が許可される総時間を示す情報であり、例えば、時間／分／秒の単位で再生許可時間を示す。再生許可期限情報１２５は、ある日時までオーディオ情報の再生を許可することを示す情報であり、例えば再生が許可される期日を示す。再生許可領域情報１２６は、情報記録媒体１００のうちの再生が許可される領域を示す情報であり、例えば、オーディオ情報のうちの再生が許可される部分の再生開始アドレスおよび再生終了アドレスを示す。あるいは、再生許可領域情報１２６は、オーディオ情報のうちの再生が許可される部分の再生開始時間と再生終了時間とを示す。再生許可回数情報１２７は、再生が許可される回数を示す情報である。初回再生時以降再生許可期間情報１２８は、オーディオ情報を最初に再生した日時からの再生が許可される期間を示す情報である。パスワード情報１２９は、再生時にパスワード入力をユーザに求めることを示す情報であり、具体的なパスワードの内容を含む。再生品質情報１３０は、再生時の再生品質を指定する情報であり、例えばモノラルかつＣＤ音質での再生等を指定する。
【００８０】
オーディオ著作権情報１１０が含むオーディオ編集制限情報１１５は、オーディオ情報の編集や、オーディオ情報と静止画情報との間のリンク付けの変更に関する情報である。図５に示すように、オーディオ編集制限情報１１５は、オーディオ編集情報５０１とリンク情報５０２とを含む。オーディオ編集情報５０１は、オーディオ情報に対していかなる編集も許可することを示す無条件編集許可情報か、オーディオ情報の分割や他のオーディオ情報との結合を禁止することを示す条件付編集許可情報の何れかを含む。またリンク情報５０２は、オーディオ情報と静止画情報との間の現在のリンク付けを削除したり新たなリンク付けを追加することを許可することを示すリンク許可情報か、現在のリンク付けの削除および新たなリンク付けの追加を禁止することを示すリンク禁止情報の何れかを含む。
【００８１】
図２を参照して、静止画著作権情報１１１は、静止画固有情報１１６と、静止画コピー制御情報１１７と、静止画再生制限情報１１８と、静止画編集制限情報１１９とを含む。
【００８２】
静止画固有情報１１６は、静止画情報を特定するための情報であり、例えば、ある静止画情報とリンク付けされるべきあるオーディオ情報のオーディオ固有情報と全く同じ或いは一部だけ同じ内容を含む。
【００８３】
静止画コピー制御情報１１７は、静止画情報のコピーや移動の許可に関する情報である。図６に示すように、静止画コピー制御情報１１７は、静止画コピー情報５０３と、静止画移動情報５０４とを含む。
【００８４】
静止画コピー情報５０３は、静止画情報のコピーに関する許可情報である。静止画コピー情報５０３は、静止画情報のコピーを無制限に許可することを示すコピー自由情報か、静止画情報のコピーは静止画情報とリンク付けされているオーディオ情報のオーディオコピー情報の内容に従うことを示すコピー許可／不許可情報か、或いは静止画情報のコピーを禁止することを示すコピー禁止情報の何れかを含む。静止画コピー情報５０３がコピー許可／不許可情報を含み、オーディオコピー情報がコピー自由情報を含めば、静止画情報のコピーは無制限に許可される。また、静止画コピー情報５０３がコピー許可／不許可情報を含み、オーディオコピー情報がコピー禁止情報を含めば、静止画情報のコピーも禁止される。静止画コピー情報５０３がコピー許可／不許可情報を含み、オーディオコピー情報１２０が１世代コピー許可情報を含めば、オーディオ情報がコピーされる場合にのみ静止画情報のコピーが許可される。また、静止画コピー情報５０３がコピー許可／不許可情報を含むが、静止画情報とリンク付けされているオーディオ情報が存在しない場合には、静止画情報のコピーは禁止される。
【００８５】
静止画移動情報５０４は、静止画情報の移動の許可および不許可に関する情報である。静止画移動情報５０４は、静止画情報の移動を許可する移動許可情報か、静止画情報とリンク付けされているオーディオ情報のオーディオ移動情報の内容に従うことを示す移動許可／不許可情報か、或いは静止画情報の移動を禁止する移動禁止情報の何れかを含む。静止画移動情報５０４が移動許可／不許可情報を含み、オーディオ移動情報が移動許可情報を含めば、オーディオ情報が移動する場合にのみ静止画情報の移動が許可される。静止画移動情報５０４が移動許可／不許可情報を含み、オーディオ移動情報が移動禁止情報を含めば、静止画情報の移動は禁止される。静止画移動情報５０４が移動許可／不許可情報を含むが、静止画情報とリンク付けされているオーディオ情報が存在しない場合には、静止画情報の移動は禁止される。
【００８６】
静止画著作権情報１１１が含む静止画再生制限情報１１８は、静止画の再生条件を示す情報（すなわち静止画情報の再生を制限するための情報）である。図７Ａに示すように、静止画再生制限情報１１８は、再生を許可する条件を示す許可情報として、常時再生許可情報および再生許可／不許可情報のうちの一方を含む。常時再生許可情報は、静止画再生制限情報１１８と関連付けられた静止画情報とリンク付けされいているオーディオ情報の再生がオーディオ再生制限情報によって許可されているか否かに関わらず、関連付けられた静止画情報の再生を常に許可することを示す。再生許可／不許可情報は、静止画再生制限情報１１８と関連付けられた静止画情報とリンク付けされいているオーディオ情報の再生がオーディオ再生制限情報によって許可されている場合にのみ、関連付けられた静止画情報の再生を許可することを示す。また、再生許可／不許可情報は、関連付けられた静止画情報とリンク付けされているオーディオ情報が存在しない場合は、その静止画情報の再生を禁止することを示す。
【００８７】
静止画著作権情報１１１が含む静止画編集制限情報１１９は、静止画管理情報に基づいて管理される一つ以上の静止画情報の編集や、静止画情報とオーディオ情報との間のリンク付けの変更に関する情報である。図７Ｂに示すように、静止画編集制限情報１１９は、静止画編集情報５０５と、リンク情報５０６とを含む。静止画編集情報５０５は、静止画管理情報に基づいて管理される一つ以上の静止画情報への新たな静止画情報の追加や静止画情報の削除、静止画情報の再生順の変更等を許可する静止画集無条件編集許可情報か、或いは静止画情報への新たな静止画の追加や静止画情報の削除、静止画情報の再生順の変更等を禁止する静止画集条件付編集許可情報の何れかを含む。またリンク情報５０６は、オーディオ情報と静止画情報との間の現在のリンク付けを削除したり新たなリンク付けを追加することを許可することを示すリンク許可情報か、或いは現在のリンク付けの削除および新たなリンク付けの追加を禁止することを示すリンク禁止情報の何れかを含む。
【００８８】
なお、本実施の形態の情報記録媒体１００は、オーディオ情報にリンク付けされる情報として、静止画情報以外にテキスト情報を含んでもよい。この場合、テキスト情報は、管理情報ファイル１０１またはテキスト情報専用ファイルに含まれる。また、管理情報ファイル１０１にはテキスト情報に関する情報であるテキスト管理情報が含まれる。テキスト管理情報は、例えば、使用されている文字コードの種類などを示す情報を含む。また、テキスト管理情報は、テキスト情報に関する著作権を示す著作権情報として、静止画著作権情報と同じようなデータ構造を含むテキスト著作権情報を含む。
【００８９】
なお、情報記録媒体１００には、オーディオ情報、静止画情報、テキスト情報以外に動画情報等が記録されてもよい。
【００９０】
また、静止画情報ファイル１０３は、一つ以上の静止画情報を含む。図７Ｃに示すように、静止画情報ファイル１０３が含む各静止画情報８０１、８０２、８０３は、あるバイト数単位で区切られたパックというデータ構造を有する複数の部分情報に分割されて情報記録媒体１００に記録されている。ここで静止画情報８０１について説明すると、静止画情報８０１が分割されて含まれるパック８１０、８１１、８１２、８１３、８１４のうちの先頭パック８１０には、静止画情報８０１とリンク付けされるオーディオ情報を特定するためのオーディオ固有情報８２１が含まれる。オーディオ固有情報８２１は、図２に示すオーディオ著作権情報１１０が含むオーディオ固有情報１１２に対応し、オーディオ固有情報１１２と同じ内容を示す。
【００９１】
例えば、複数の静止画情報と複数のオーディオ情報とを含む情報コンテンツを電子音楽配信でユーザが購入して情報記録媒体１００に記録する場合、各静止画情報の先頭パックには、静止画情報のそれぞれに対応する１つのオーディオ情報のオーディオ固有情報が含まれる。
【００９２】
なお、ユーザがデジタルスチルカメラ等で撮影した静止画情報を情報記録媒体１００に記録する場合には、静止画情報の先頭パックのオーディオ固有情報を記録するための領域には、リンク付けされるオーディオ情報は存在しないことを示す値（デフォルト値）が含まれる。デフォルト値は、例えば、０データである。
【００９３】
なお、オーディオ情報の代わりに動画情報が静止画情報とリンク付けされてもよい。この場合は、静止画情報の先頭パックには、動画情報を特定するための固有情報が含まれる。また、静止画情報の代わりにテキスト情報がオーディオ情報とリンク付けされる場合も、テキスト情報は静止画情報と同様の形態で情報記録媒体に記録され、テキスト情報の先頭パックには、オーディオ固有情報が含まれる。
【００９４】
本実施の形態によれば、オーディオ情報や静止画情報およびテキスト情報のコピー制御や再生制限を実現することができる。
【００９５】
また、編集の許可および不許可に関する情報を情報記録媒体が含むことにより、著作権者が意図しない編集からオーディオ情報や静止画情報およびテキスト情報を保護することができる。
【００９６】
（実施の形態２）
本実施の形態では、情報記録媒体１００に記録される再生制限情報は複数種類の制限の組み合わせによって情報（例えばオーディオ情報）の再生が制限されることを示す。例えば、情報記録媒体１００はオーディオ再生制限情報１１４を含み、オーディオ再生制限情報１１４は、再生許可時間情報１２４、再生許可期限情報１２５、再生許可領域情報１２６、再生許可回数情報１２７、初回再生時以降再生許可期間情報１２８、パスワード情報１２９、再生品質情報１３０のうちの２つ以上を含む。
【００９７】
再生制限情報１１４が複数の許可情報を含む場合、その複数の許可情報の組み合わせによって示される許可内容に従ってオーディオ情報の再生条件が決定される。例えば、再生制限情報１１４が、再生許可期限情報１２５と再生許可時間情報１２４とを含み、再生許可期限情報１２５が２００２年９月まで再生を許可することを示し、再生許可時間情報１２４が１０分間の再生を許可することを示す場合は、オーディオ情報は２００２年９月までの１０分間の再生が許可されることになる。
【００９８】
なお、情報記録媒体１００に対して記録再生される情報は、動画情報、静止画情報、テキスト情報、その他の情報であってもよい。
【００９９】
本実施の形態によると、複数の許可情報を組み合わせることにより、より詳細な再生の制限を設定することができる。
【０１００】
（実施の形態３）
本実施の形態では、情報記録媒体１００は、オーディオ情報とそのオーディオ著作権情報１１０とを含む。オーディオ著作権情報１１０はオーディオコピー情報１２０とオーディオ移動情報１２１とを含む。
【０１０１】
オーディオコピー情報１２０は、コピー自由情報か、１世代コピー許可情報か、コピー禁止情報の何れかを含む。オーディオ移動情報１２１は、移動許可情報か、或いは移動禁止情報の何れかを含む。
【０１０２】
アナログコピーのように、オーディオコピー情報１２０にもオーディオ移動情報１２１にも関連付けられていないオーディオ情報が情報記録媒体１００に記録される場合には、オーディオ情報のオーディオコピー情報１２０としては、コピーを無制限に許可するコピー自由情報か、或いは孫コピーを禁止する１世代コピー許可情報の何れかが記録される。
【０１０３】
さらに、オーディオ移動情報１２１としては、常にオーディオ情報の移動を許可する移動許可情報が記録される。しかしながら、コピーが許可される場合には、オーディオ移動情報１２１は意味のない情報として扱われる。つまり、オーディオ情報を他の情報記録媒体に記録する場合、オーディオ情報のオーディオコピー情報１２０がコピー自由情報または１世代コピー許可情報を含めば、必ずコピーという形式でオーディオ情報を他の情報記録媒体に記録する。
【０１０４】
一方、オーディオコピー情報１２０がコピー禁止情報を含めば、必ず移動という形式でオーディオ移動情報１２１に従ってオーディオ情報を他の情報記録媒体へ記録する。
【０１０５】
ＣＤからのオーディオ情報のコピーのように、オーディオコピー情報１２０が関連付けられたオーディオ情報を情報記録媒体１００に記録する場合について説明する。この場合、オーディオコピー情報１２０がコピー自由情報を含めば、そのオーディオコピー情報１２０と、オーディオ移動情報１２１として移動許可情報とを情報記録媒体１００に記録する。しかしながら、この場合は、オーディオ移動情報１２１は意味のない情報として扱われる。また元々関連付けられていたオーディオコピー情報１２０が１世代コピー許可情報を含めば、オーディオコピー情報１２０としてコピー禁止情報を情報記録媒体１００に記録する。この場合は、オーディオ移動情報１２１として移動許可情報か、或いは移動禁止情報を情報記録媒体１００に記録する。
【０１０６】
電子音楽配信のように、オーディオ移動情報１２１が関連付けられたオーディオ情報を情報記録媒体１００に記録する場合について説明する。この場合、そのオーディオ移動情報１２１を情報記録媒体１００に記録し、さらに、オーディオコピー情報１２０としてコピー禁止情報を記録する。この結果、オーディオ情報を他の情報記録媒体へ記録する時は、オーディオコピー情報１２０がコピー禁止情報を含むため、オーディオ情報はオーディオ移動情報１２１に従って他の情報記録媒体に移動される。なお、オーディオ移動情報１２１が移動禁止情報を含めば、必ずオーディオコピー情報１２０としてコピー禁止情報が情報記録媒体１００に記録される。
【０１０７】
本実施の形態では、オーディオコピー情報１２０の内容とオーディオ移動情報１２１の内容との組み合わせパターンが限定される。一般的に、コピーが許可されている場合は、コピーの代わりに移動という手段が用いられることはない。逆に、移動が禁止されている場合、コピーが許可されるということもない。一般的には行われない内容となる情報の組み合わせを排除することにより、再生装置および記録再生装置におけるコピーおよび移動の取り扱いを容易にすることができる。
【０１０８】
（実施の形態４）
図８に本発明の実施の形態４の情報記録媒体５１０を示す。情報記録媒体５１０は例えばＤＶＤ−ＲＡＭディスクである。情報記録媒体５１０は、オーディオ情報を含むオーディオ情報ファイル５１２と、静止画情報を含む静止画情報ファイル５１３と、オーディオ情報および静止画情報の再生を管理するための管理情報を含む管理情報ファイル５１１と、オーディオ情報および静止画情報に関する著作権を示す著作権情報を含む権利情報ファイル５１４とを含む。
【０１０９】
管理情報ファイル５１１は、図９Ａに示すように、オーディオ管理情報５２１、５２２、５２３と静止画管理情報５２４、５２５、５２６とを含む。オーディオ情報ファイル５１２が含むオーディオ情報は、そのオーディオ情報のある一区間である部分オーディオ情報を複数含む。オーディオ管理情報５２１、５２２、５２３のそれぞれは、複数の部分オーディオ情報のうちの対応する一つの部分オーディオ情報に関する情報であり、例えばオーディオ属性情報や、オーディオ情報の記録開始アドレス等を含む。なお、部分オーディオ情報とは、例えば、楽曲の１曲を示すオーディオ情報を指す。
【０１１０】
静止画情報ファイル５１３が含む静止画情報は、その静止画情報のうちのある一区間である部分静止画情報を複数含む。静止画管理情報５２４、５２５、５２６のそれぞれは、複数の部分静止画情報のうちの対応する一つの部分静止画情報に関する情報であり、例えば、静止画属性情報や、静止画情報の記録開始アドレス等を含む。部分静止画情報とは、例えば、ある楽曲の１曲（部分オーディオ情報）の再生中に表示される一つ以上の静止画を示す静止画情報を指す。また、オーディオ管理情報５２１、５２２、５２３および静止画管理情報５２４、５２５、５２６には互いを識別するための固有情報として１以上の番号が、オーディオ管理情報および静止画管理情報の記録順に付与される。１以上の番号は例えば正数の通し番号（♯１、♯２、・・・♯ｍ）である。
【０１１１】
図９Ｂに示すように、権利情報ファイル５１４は、オーディオ著作権情報５２７、５２８、５２９と静止画著作権情報５３０、５３１、５３２とを含む。オーディオ著作権情報５２７、５２８、５２９および静止画著作権情報５３０、５３１、５３２には互いを識別するための固有情報として１以上の番号がその記録順に付与されている。
【０１１２】
オーディオ管理情報５２１、５２２、５２３およびオーディオ著作権情報５２７、５２８、５２９のうちの、共通の部分オーディオ情報に対応するオーディオ管理情報およびオーディオ著作権情報には、同じ固有情報（すなわち同じ番号）が付与されている。静止画管理情報５２４、５２５、５２６および静止画著作権情報５３０、５３１、５３２のうちの、共通の部分静止画情報に対応する静止画管理情報および静止画著作権情報には、同じ固有情報が付与されている。オーディオ著作権情報５２７、５２８、５２９のそれぞれは、同じ固有情報が付与されたオーディオ管理情報に基づいて管理される部分オーディオ情報に関する著作権情報を含む。同様に静止画著作権情報５３０、５３１、５３２のそれぞれは、同じ固有情報が付与された静止画管理情報に基づいて管理される部分静止画情報に関する著作権情報を含む。なお、オーディオ著作権情報や静止画著作権情報が含む情報は実施の形態１と同じである。
【０１１３】
なお、本実施の形態の情報記録媒体５１０は、オーディオ情報にリンク付けされる情報として、静止画情報以外にテキスト情報を含んでもよい。この場合、テキスト情報は、管理情報ファイル５１１またはテキスト情報専用ファイルに含まれる。また、管理情報ファイル５１１にはテキスト情報に関する情報であるテキスト管理情報が含まれる。また、権利情報ファイル５１４は、テキスト情報に関する著作権を示す著作権情報として、静止画著作権情報と同じようなデータ構造を含むテキスト著作権情報を含む。
【０１１４】
なお、情報記録媒体５１０には、オーディオ情報、静止画情報、テキスト情報以外に動画情報等が記録されてもよい。
【０１１５】
本実施の形態では、管理情報、オーディオ情報、静止画情報、著作権情報はそれぞれ別々のファイルに含まれている（すなわち情報記録媒体５１０のうちの著作権情報が記録される領域は、管理情報、オーディオ情報、静止画情報が記録される領域と異なる）。このため、複数のファイルのうちの権利情報ファイル５１４を暗号化することができるので著作権情報を保護することができる。再生装置による管理情報の読み込みの利便性のために、管理情報ファイルの暗号化は行わない。このため、管理情報ファイルが著作権情報を含む場合は、著作権情報が不正に改ざんされる可能性がある。本実施の形態では、著作権情報を管理情報とは別のファイルに含めることで、著作権情報を暗号化することができ、より安全に著作権情報を保護することできる。
【０１１６】
（実施の形態５）
本実施の形態は、実施の形態４の情報記録媒体５１０の改変例であり、図１０Ａおよび図１０Ｂに示すように情報記録媒体５１０が含む管理情報ファイル５１１はテキスト情報５４０、５４１、５４２をさらに含み、権利情報ファイル５１４はテキスト著作権情報５４３、５４４、５４５をさらに含む。
【０１１７】
テキスト情報５４０、５４１、５４２には互いを識別するための固有情報として通し番号（♯１’、♯２’、・・・♯ｍ’）が付与されている。テキスト情報５４０、５４１、５４２のそれぞれは、楽曲を示すオーディオ情報やプレイリスト（一つ以上の楽曲を示すオーディオ情報のリスト）に関連付けられるテキストコンテンツを含む。例えば図１１に示すように、テキスト情報５４０は、テキストの種類を示すタグ情報Ａ５４６と、テキストのデータサイズを示すサイズ情報Ａ５４７と、実際のテキストの内容を示すテキストコンテンツＡ５４８とを含む。また図１１のように、これら３つの情報を１セットとして、一つのテキスト情報が複数のセットを含んでもよい。例えば、テキスト情報５４０はタグ情報Ｂ５４９と、サイズ情報Ｂ５５０と、テキストコンテンツＢ５５１とをさらに含んでもよい。テキスト情報５４０がある楽曲を示すオーディオ情報に関連付けられるテキストの場合、タグ情報Ａ５４６に曲名を示すタグを、テキストコンテンツＡ５４８にその曲名を記録し、タグ情報Ｂ５４９には歌詞を示すタグを、テキストコンテンツＢ５５１にはその楽曲の歌詞情報を記録する。
【０１１８】
図１０Ｂに示すように、権利情報ファイル５１４が含むテキスト著作権情報５４３、５４４、５４５には互いを識別するための固有情報として通し番号（♯１’、♯２’、・・・♯ｍ’）が付与されている。テキスト著作権情報５４３、５４４、５４５のそれぞれが示す著作権は、固有情報として同じ番号が付与されているテキスト情報に関する。さらには、その対応するテキスト情報中のある特定のタグ情報で指定されるテキストコンテンツに対してのみ著作権が適用される。例えば、テキスト著作権情報は歌詞情報のみに適用されるとし、テキスト情報５４２が曲名を示すテキストコンテンツと歌詞を示すテキストコンテンツとを含み、テキスト著作権情報５４５がコピー禁止情報を含むと仮定する。この場合、テキスト情報５４２の歌詞を示すテキストコンテンツはコピー禁止として扱われるが、曲名を示すテキストコンテンツはコピーされてもよいことになる。
【０１１９】
なお、オーディオ情報や静止画情報に対しても、同様にその一部分のデータだけに著作権を適用することができる。例えばオーディオ情報の場合、情報記録媒体５１０に記録されているオーディオ情報に著作権管理情報を関連付けるのであれば、その情報記録媒体５１０に記録されているあるプレイリストまたはある楽曲を示すオーディオ情報またはインデックスまたはある楽曲を示すオーディオ情報の一部に対してのみ著作権が適用される。同様に、１プレイリストに対して著作権管理情報を関連付ける場合には、１プレイリスト中のある楽曲やインデックスや楽曲の一部分に対してのみ著作権が適用される。１曲を示すオーディオ情報に対して著作権管理情報を与える場合には、１曲中のあるインデックスやある一部分に対してのみ著作権が適用される。
【０１２０】
情報記録媒体５１０に記録されている静止画情報に対して著作権管理情報を関連付ける場合、その情報記録媒体５１０に記録されているあるプレイリストやある楽曲を示すオーディオ情報とリンク付けされている静止画情報に対してのみ著作権が適用される。同様に、１プレイリストまたは１曲を示すオーディオ情報とリンク付けされている静止画情報に対して著作権管理情報を関連付ける場合には、１プレイリスト中のある楽曲を示すオーディオ情報にリンク付けされている静止画情報、またはそのオーディオ情報にリンク付けされている特定の１つ以上の静止画を示す静止画情報に対してのみ著作権が適用される。
【０１２１】
本実施の形態によれば、テキスト情報が含むテキストコンテンツの一部に対して著作権管理を行う。仮に、曲名や歌詞を示すテキストコンテンツを含むテキスト情報全体に対して著作権を適用した場合、著作権情報が削除以外の編集を禁止する条件付編集許可情報を含んでいれば、歌詞に加えて曲名も編集禁止になってしまう。例えば、情報記録媒体５１０に記録されているテキスト情報は日本語であるが、再生装置がアルファベット表示しかできない場合、ユーザの利便性として少なくとも曲名ぐらいはローマ字表記に変更したいと考えるが、このような変更も許可されなくなる。従って、曲名や歌手名などの必要最低限の情報を示すテキストコンテンツは著作権管理の対象から外し、その他のテキストコンテンツに対してのみ著作権管理を行うことは、ユーザにとって非常に有益である。
【０１２２】
（実施の形態６）
本実施の形態は、実施の形態４の情報記録媒体５１０の改変例であり、図１２Ａに示すように、情報記録媒体５１０が含む管理情報ファイル５１１は、著作権管理が行われないフリーテキスト情報５５２、５５３、５５４をさらに含む。また、情報記録媒体５１０は、テキスト情報ファイル５５５をさらに含む。図１２Ｂに示すように、テキスト情報ファイル５５５は、著作権管理が行われる著作権テキスト情報５５６、５５７、５５８を含む。フリーテキスト情報５５２、５５３、５５４と著作権テキスト情報５５６、５５７、５５８とには互いを識別するための固有情報として通し番号（♯１”、♯２”、・・・♯ｍ”）が付与されている。
【０１２３】
フリーテキスト情報５５２、５５３、５５４のそれぞれは、１曲または１プレイリストを示すオーディオ情報に関連付けられるテキストコンテンツを含む。著作権テキスト情報５５６、５５７、５５８のそれぞれは、１曲または１プレイリストを示すオーディオ情報に関連付けられるテキストコンテンツを含む。
【０１２４】
フリーテキスト情報５５２、５５３、５５４および著作権テキスト情報５５６、５５７、５５８は、図１１に示すテキスト情報５４０と同様に、タグ情報とサイズ情報とテキストコンテンツとを１セットとし、その一つ以上のセットを含む。フリーテキスト情報５５２、５５３、５５４が含むテキストコンテンツは、著作権管理を行わなくてもよいテキスト、例えば曲名、歌手名などを示す。一方、著作権テキスト情報５５６、５５７、５５８が含むテキストコンテンツは、著作権管理が行われるテキスト、例えば、歌詞やライナーノーツなどを示す。
【０１２５】
本実施の形態によれば、歌詞などを示すテキストコンテンツを含む著作権テキスト情報は専用のテキスト情報ファイル５５５に記録し、テキスト情報ファイル５５５を暗号化することによってその著作権を保護する。一方、曲名や歌手名などを示すテキストコンテンツを含むフリーテキスト情報は、管理情報ファイル５１１に含まれる。一般的に、管理情報ファイル５１１は、再生装置の読み取り動作を容易にするために暗号化しないため、管理情報ファイル５１１に含まれるテキスト情報も暗号化されない。しかしながら、曲名や歌手名といった著作権を保護しなくてもよい情報は、暗号化する必要がない。また、曲名や歌手名を管理情報ファイル５１１に記録しておけば、管理情報ファイル５１１は常に再生装置のメモリに記録されているため、楽曲のメニュー表示や検索時に曲名や歌手名を逐一情報記録媒体５１０から読み出す必要はなく、再生装置の負担を軽減することができる。
【０１２６】
なお、オーディオ情報や静止画情報に関しても、その一部の情報を管理情報ファイル５１１に含め、残りを各専用ファイルに含めることも可能である。例えば、オーディオ情報の場合、プレイリストや楽曲のサビ部分を示すオーディオ情報をコピーして管理情報ファイル５１１に含めておけば、プレイリストや楽曲の検索時に有効に使うことができる。また、静止画情報に関しても、プレイリストや楽曲を代表する静止画情報、例えばサムネイルを管理情報ファイル５１１に含めておけば、メニュー画面の表示時は有効に使うことができる。
【０１２７】
（実施の形態７）
図１３に本発明の実施の形態７の記録装置１３１を示す。記録装置１３１は、記録部１３２と、メモリ部１３３と、制御部１３４と、取得部１３５とを備える。制御部１３４はコピー制御部１３７を備える。情報コンテンツ１３８は、オーディオ情報５６０と、オーディオ情報５６０を特定するための固有情報５６１と、オーディオ情報５６０のコピー回数情報５６２とを含む。記録装置１３１は、情報コンテンツ１３８を取得して少なくともオーディオ情報５６０を情報記録媒体１３６に記録する。制御部１３４は制御信号５６３を記録部１３２へ出力することにより記録部１３２を制御する。
【０１２８】
取得部１３５は、情報コンテンツ１３８を電子配信等の情報源から取得すると、コピー回数情報５６２と固有情報５６１とを制御部１３４へ、オーディオ情報５６０を記録部１３２へ出力する。制御部１３４は、コピー制御部１３７が、固有情報５６１がメモリ部１３３に記録されているか否かを検索する。その結果、メモリ部１３３に記録されていないことが判明すれば、制御部１３４は、固有情報５６１と、コピー回数情報５６２が示すコピー回数から１減算した残コピー回数を示す残コピー回数情報とを対にしてメモリ部１３３に記録し、記録部１３２は、オーディオ情報５６０を情報記録媒体１３６に記録する。
【０１２９】
一方、固有情報５６１がメモリ部１３３に記録されていることが判明すれば、制御部１３４は、固有情報５６１と対として記録されている残コピー回数情報をメモリ部１３３から読み出し、読み出された残コピー回数が正数であるか否かを判定する。残コピー回数が正数であれば、残コピー回数から１減算した値を再度メモリ部１３３に記録し、記録部１３２はオーディオ情報５６０を情報記録媒体１３６に記録する。しかしながら、残コピー回数が正数でなければ、制御部１３４は、記録部１３２でオーディオ情報５６０を情報記録媒体１３６に記録することを禁止する。
【０１３０】
なお、記録装置１３１が実行する上記手順は、メモリ部に残コピー回数情報を記録しておき、コピーによって残コピー回数が０になればコピーを禁止する手順である。逆に、メモリ部１３３にはコピーした回数である既コピー回数を示す情報を記録しておき、コピーの度に既コピー回数をインクリメントしていき、既コピー回数が情報コンテンツ１３８が許可されたコピー回数と同じになればコピーを禁止する手順であってもよい。
【０１３１】
本実施の形態によると、コピー回数の制限があるオーディオ情報のコピー回数を、記録装置毎に管理することができる。
【０１３２】
なお、オーディオ情報の代わりに動画情報、静止画情報、テキスト情報、その他の情報が記録装置１３１に取得されて情報記録媒体１３６に記録されてもよい。固有情報５６１とは、例えばＩＳＲＣコードなどである。
【０１３３】
（実施の形態８）
本発明の実施の形態８の再生装置は、情報記録媒体から情報を読み出す読取部と情報を出力する出力部とを備える。
【０１３４】
情報記録媒体は、オーディオ情報と、オーディオ情報に関するオーディオコピー制御情報と、オーディオ情報を特定するための固有情報とを含み、再生装置はこれらの情報を他の情報記録媒体にコピーするために出力する。この場合、読取部は、オーディオ情報とオーディオコピー制御情報と固有情報とを情報記録媒体から読み出し、読み出したこれら情報を出力部は他の記録装置に出力する。
【０１３５】
なお、オーディオ情報の代わりに、動画情報、静止画情報、テキスト情報、その他の情報が情報記録媒体から読み出されて出力されてもよい。オーディオコピー制御情報は、例えば、孫コピーを禁止する１世代コピー許可情報やコピー回数情報などを含む。固有情報は、例えば、オーディオ情報に付与されているＩＳＲＣコードなどである。
【０１３６】
本実施の形態によれば、再生装置から固有情報とオーディオコピー制御情報とを出力するため、コピー情報を記録装置毎に管理する必要がある場合であっても、その記録装置と本実施の形態の再生装置とを用いてオーディオコピー制御情報を他の情報記録媒体にコピーすることが可能となる。
【０１３７】
（実施の形態９）
図１４に本発明の実施の形態９の再生装置１４１を示す。再生装置１４１は、情報記録媒体１４５から情報を読み出す読取部１４２と、制御部１４３と、情報を出力する出力部１４４とを備える。制御部１４６はコピー制御部１４６を備える。情報記録媒体１４５は、第一および第二の情報５６５、５６６と、第一および第二の情報５６５、５６６に関する第一および第二のコピー情報５６７、５６８とを含む。制御部１４３は制御信号５６９を読取部１４２へ出力することにより読取部１４２を制御する。
【０１３８】
再生装置１４１から情報をコピーする場合、読取部１４２は、情報記録媒体１４５から第一および第二のコピー情報５６７、５６８を読み出し、制御部１４３へ出力する。さらに、制御部１４３が備えるコピー制御部１４６において、第二のコピー情報５６８が、第一のコピー情報５６７に従うことを示すコピー許可／不許可情報であり、さらに第一のコピー情報５６７が、第一の情報５６５のコピーを無制限に許可していることが判明すれば、第二の情報５６６のコピーを行うために、読取部１４２が第二の情報５６６を読み出して出力部１４４で出力することを許可する。
【０１３９】
一方、コピー制御部１４６は、第二のコピー情報５６８がコピー許可／不許可情報であるが、第一のコピー情報５６７がコピー禁止を示していることが判明すれば、コピーのためには第一および第二の情報５６５、５６６を読み出さないように読取部１４２を制御する。
【０１４０】
また、コピー制御部１４６は、第二のコピー情報５６８がコピー許可／不許可情報であり、第一のコピー情報５６７が孫コピーを禁止する１世代コピー許可情報であることが判明すれば、第二の情報５６６のコピー時には、読取部１４２で第一および第二の情報５６５、５６６を読み出して出力部１４４で両方の情報を出力するように読取部１４２と出力部１４４とを制御する。
【０１４１】
第一および第二の情報５６５、５６６は、例えば、オーディオ情報や動画情報、静止画情報、テキスト情報、その他の情報などである。第一および第二のコピー情報５６７、５６８は、オーディオコピー情報、静止画コピー情報などである。
【０１４２】
本実施の形態によると、電子配信などでオーディオ情報と静止画情報を含む情報コンテンツをユーザが購入した場合、静止画情報のコピー情報がコピー許可／不許可情報であれば、静止画情報のコピー時には必ずオーディオ情報もコピーするように制御できる。このため、オーディオ情報と静止画情報は必ず対として扱うという配信側の意図を正しく反映することができるようになる。また、静止画情報の代わりにまたは静止画情報とともにテキスト情報が配信される場合も、静止画情報と同様に扱われる。
【０１４３】
（実施の形態１０）
図１５に、本発明の実施の形態１０の再生装置１５１を示す。再生装置１５１は、読取部１５２と、制御部１５３と、出力部１５４とを備える。制御部１５３は、コピー制御部１５６と、リンク解読部１５７とを備える。
【０１４４】
情報記録媒体１５５は、第一の情報５７０と、第一の情報５７０に関する第一のコピー情報５７１と、第一の情報５７０の再生を管理するための管理情報５７２とを含む。制御部１５３は制御信号５７３を読取部１５２へ出力することにより読取部１５２を制御する。
【０１４５】
再生装置１５１から情報をコピーする場合、読取部１５２は、情報記録媒体１５５から管理情報５７２と、第一のコピー情報５７１とを読み出し、制御部１５３に出力する。制御部１５３が備えるコピー制御部１５６において、第一のコピー情報５７１がコピー許可／不許可情報であることが判明し、さらにリンク解読部１５７で管理情報５７２を解読し、第一の情報５７０が他の情報とリンク付けされていないことが判明すれば、制御部１５３は、コピーのためには第一の情報５７０を読み出さないように読取部１５２を制御する。なお、第一のコピー情報５７１がコピー許可／不許可情報であり、第一の情報５７０が他の情報とリンク付けされている場合は、読取部１５２が読取った第一の情報５７０は上記他の情報と共に出力部１５４から出力される。なお、第一の情報５７０は、例えば、オーディオ情報、動画情報、静止画情報、テキスト情報、その他の情報などである。
【０１４６】
本実施の形態によると、配信などでオーディオ情報と静止画情報とを含む情報コンテンツをユーザが購入した場合、静止画情報のコピー情報がコピー許可／不許可情報であれば、たとえオーディオ情報と静止画情報のリンクが削除されたとしても、静止画情報のみがオーディオ情報とは別にコピーされることはない。この結果、静止画情報のみがコピーされて他のオーディオ情報のために再利用されることはなく、配信されたオーディオ情報と静止画情報を対として扱うという配信側の意図を正しく反映することができる。また、静止画情報の代わりにまたは静止画情報とともにテキスト情報が配信される場合も、静止画情報と同様に扱われる。
【０１４７】
（実施の形態１１）
図１６に、本発明の実施の形態１１の記録装置１６１を示す。記録装置１６１は、記録部１６２と、制御部１６３と、取得部１６５とを備える。制御部１６３は、コピー制御部１６４を備える。記録装置１６１は、少なくともオーディオ情報５７６を含む情報コンテンツ５７５を取得して、オーディオ情報５６０を情報記録媒体１６６に記録する。
【０１４８】
取得部１６５は、アナログ入力のようにオーディオ情報５７６だけを取得した場合、取得したオーディオ情報５７６を記録部１６２へ出力する。この時、コピー制御部１６４は、オーディオ情報５７６のオーディオコピー情報５７７としてコピーを無制限に許可するコピー自由情報か、或いは孫コピーを禁止する１世代コピー許可情報の何れかを記録部１６２に出力する。さらにコピー制御部１６４は、オーディオ情報５７６のオーディオ移動情報５７８として、移動を許可する移動許可情報を記録部１６２へ出力する。記録部１６２は、オーディオ情報５７６と、コピー制御部１６４から入力されたオーディオコピー情報５７７とオーディオ移動情報５７８とを情報記録媒体１６６に記録する。
【０１４９】
また、取得部１６５は、ＣＤやＤＶＤからのコピーのように、オーディオ情報５７６とオーディオコピー情報５７９とを取得した場合、オーディオ情報５７６を記録部１６２へ、オーディオコピー情報５７９をコピー制御部１６４へ出力する。コピー制御部１６４では、オーディオコピー情報５７９が１世代コピー許可情報であることが判明すれば、オーディオコピー情報５７７としてコピーを禁止するコピー禁止情報を記録部１６２へ出力し、さらにオーディオ情報５７６のオーディオ移動情報５７８として移動許可情報か或いは移動を禁止する移動禁止情報の何れかを記録部１６２へ出力する。一方、コピー制御部１６４は、オーディオコピー情報５７９がコピー自由情報であることが判明すれば、オーディオコピー情報５７７としてコピー自由情報を、オーディオ移動情報５７８として移動許可情報を記録部１６２へ出力する。記録部１６２は、オーディオ情報５７６と、コピー制御部１６４から入力されたオーディオコピー情報５７７とオーディオ移動情報５７８とを情報記録媒体１６６に記録する。
【０１５０】
一方、取得部１６５は、電子音楽配信で購入したコンテンツのように、オーディオ情報５７６とオーディオ移動情報５８０とを取得した場合、オーディオ情報５７６を記録部１６２へ、オーディオ移動情報５８０をコピー制御部１６４へ出力する。コピー制御部１６４では、取得したオーディオ移動情報５８０をそのまま記録部１６２へ出力し、さらにオーディオコピー情報５７７として、オーディオ移動情報５８０の内容にかかわらず、コピー禁止情報を記録部１６２へ出力する。記録部１６２は、オーディオ情報５７６と、コピー制御部１６４から入力されたオーディオコピー情報５７７とオーディオ移動情報５８０とを情報記録媒体１６６に記録する。なお、オーディオ情報５７６の代わりに、例えば、動画情報、静止画情報、テキスト情報、その他の情報が記録装置１６１に取得されて情報記録媒体１６６に記録されてもよい。
【０１５１】
本実施の形態によると、オーディオ情報５７６を記録するときに、オーディオコピー情報またはオーディオ移動情報の何れかまたは両方が入力されない場合には、情報記録媒体１６６にはオーディオコピー情報および／またはオーディオ移動情報が補完されて記録される。
【０１５２】
（実施の形態１２）
図１７に、本発明の実施の形態１２の記録再生装置１７１を示す。記録再生装置１７１は、読書部１７２と、制御部１７３と、出力部１７４とを備える。制御部１７３は、移動制御部１７６を備える。情報記録媒体１７５は、第一の情報５８１と、第一の情報５８１とリンク付けされた第二の情報５８２と、第一の情報５８１および第二の情報５８２の再生を管理するための管理情報５８３とを含む。第一の情報５８１、第二の情報５８２は、例えば、オーディオ情報、動画情報、静止画情報、テキスト情報、その他の情報などである。より具体的には、第一の情報５８１は、オーディオ情報、動画情報のうちの少なくとも一方であり、第二の情報５８２は、静止画情報、テキスト情報のうちの少なくとも一方である。管理情報５８３はオーディオ管理情報、静止画管理情報等である。
【０１５３】
第一の情報５８１を情報記録媒体１７５とは別の情報記録媒体に移動する場合には、読書部１７２は、第一の情報５８１と、管理情報５８３を情報記録媒体１７５から読み出して、第一の情報５８１を出力部１７４へ出力し、管理情報５８３を制御部１７３へ出力する。制御部１７３が備える移動制御部１７６は、管理情報５８３を解読して、移動しようとする第一の情報５８１とリンク付けされている第二の情報５８２が情報記録媒体１７５に存在するか否かを判定する。判定の結果、第二の情報５８２が情報記録媒体１７５に存在することが判明すれば、第一の情報５８１の移動に伴い、第二の情報５８２を情報記録媒体１７５から削除するように読書部１７２を制御する。第一の情報５８１の移動は、出力部１７４が第一の情報５８１を、情報記録媒体１７５とは別の情報記録媒体がセットされた外部装置へ出力し、移動制御部１７６が情報記録媒体１７５に記録されている第一の情報５８１を削除するように読書部１７２を制御することにより行われる。移動制御部１７６は制御信号５８４を読書部１７２へ出力することにより読書部１７２を制御する。
【０１５４】
記録再生装置１７１は、情報の読み取り動作と書き込み動作との両方を行う読書部１７２を備えるが、読書部１７２に含まれる読取り動作を行う読取り部と書込み動作を行う書込み部とが別々に記録再生装置１７１に設けられてもよい。
【０１５５】
本実施の形態によれば、オーディオ情報と静止画情報とがリンク付けされているコンテンツのうちのオーディオ情報のみを移動させる際には、リンク付けされた静止画情報は自動的に削除される。一般的に、電子配信などで購入したオーディオ情報と静止画情報とを含むコンテンツの場合、静止画情報はそのオーディオ情報の再生時にしか再生が許可されない。このため、オーディオ情報のみの移動時に静止画情報を削除しておけば、静止画情報が他のオーディオ情報とリンク付けされて再生されることを防ぐことができる。また、静止画情報の代わりにまたは静止画情報とともにテキスト情報が電子配信される場合も、テキスト情報は静止画情報と同様に扱われる。
【０１５６】
（実施の形態１３）
図１８に、本発明の実施の形態１３の記録再生装置１８１を示す。記録再生装置１８１は、読書部１８２と、制御部１８３と、出力部１８４と、表示出力部１８７とを備える。制御部１８３は、移動制御部１８６を備える。情報記録媒体１８５は、第一の情報５８１と、第一の情報５８１とリンク付けされた第二の情報５８２と、第一の情報５８１および第二の情報５８２の再生を管理するための管理情報５８３とを含む。第一の情報５８１、第二の情報５８２は、例えば、オーディオ情報、動画情報、静止画情報、テキスト情報、その他の情報などである。
【０１５７】
第一の情報５８１を情報記録媒体１８５とは別の情報記録媒体に移動する場合には、読書部１８２は、第一の情報５８１と、管理情報５８３を情報記録媒体１８５から読み出して、第一の情報５８１を出力部１８４へ出力し、管理情報５８３を制御部１８３へ出力する。制御部１８３が備える移動制御部１８６は、管理情報５８３を解読して、移動しようとする第一の情報５８１とリンク付けされている第二の情報５８２が情報記録媒体１８５に存在するか否かを判定する。判定の結果、第二の情報５８２が情報記録媒体１８５に存在することが判明すれば、移動制御部１８６は、表示出力部１８７へ制御信号５８６を出力する。表示出力部１８７は制御信号５８６を受け取ると、第一の情報５８１の移動に伴い第二の情報５８２が情報記録媒体１８５から削除されることを表示し、ユーザに警告する。警告後、第一の情報５８１を移動する場合には、移動制御部１８６は、第二の情報５８２を情報記録媒体１８５から削除するように読書部１８２を制御する。移動制御部１８６は制御信号５８５を読書部１８２へ出力することにより読書部１８２を制御する。
【０１５８】
記録再生装置１８１は、情報の読み取り動作と書き込み動作との両方を行う読書部１８２を備えるが、読書部１８２が含む読取り動作を行う読取り部と書込み動作を行う書込み部とが別々に記録再生装置１８１に設けられてもよい。
【０１５９】
本実施の形態によると、オーディオ情報のみの移動の際には、そのオーディオ情報とリンク付けされた静止画情報が自動的に削除されることをユーザに知らせることができる。一般的に、電子配信などで購入したオーディオ情報と静止画情報とを含む情報コンテンツのうちのオーディオ情報のみを移動させる場合には、静止画情報を削除しなければいけないことがある。このため、オーディオ情報の移動前に、ユーザに警告を出しておくことは非常に有益である。また、静止画情報の代わりにまたは静止画情報とともにテキスト情報が電子配信される場合も、テキスト情報は静止画情報と同様に扱われる。
【０１６０】
（実施の形態１４）
図１９に、本発明の実施の形態１４の記録再生装置１９１を示す。記録再生装置１９１は、読書部１９２と、制御部１９３と、出力部１９４とを備える。制御部１９３は、移動制御部１９６を備える。情報記録媒体１９５は、第一の情報５９１と、第一の情報５９１とリンク付けされた第二の情報５９２と、第一の情報５９１の移動に関する第一の移動情報５９３と、第二の情報５９２の移動に関する第二の移動情報５９４とを含む。第一の情報５９１、第二の情報５９２は、例えば、オーディオ情報、動画情報、静止画情報、テキスト情報、その他の情報などである。より具体的には、第一の情報５９１は、オーディオ情報、動画情報のうちの少なくとも一方であり、第二の情報５９２は、静止画情報、テキスト情報のうちの少なくとも一方である。移動情報５９３および移動情報５９４はオーディオ移動情報、静止画移動情報等である。
【０１６１】
第二の情報５９２を情報記録媒体１９５とは別の情報記録媒体へ移動させる場合には、読書部１９２は情報記録媒体１９５から第一および第二の移動情報５９３、５９４を読み出して、制御部１９３へ出力する。制御部１９３が備える移動制御部１９６は、第一および第二の移動情報５９３、５９４の種別を判定する。判定の結果、第二の移動情報５９４が、第二の情報５９２の移動が許可されるか否かは第一の移動情報５９３の内容に従うことを示す移動許可／不許可情報であり、さらに第一の移動情報５９３が第一の情報５９１の移動を許可している場合には、制御部１９３は、第二の情報５９２を移動する際には、第一および第二の情報５９１、５９２の両方を移動させる。この場合、制御部１９３は、第一および第二の情報５９１、５９２を読み出し、情報記録媒体１９５から第一および第二の情報５９１、５９２が再生できなくなる（例えば情報記録媒体１９５から第一および第二の情報５９１、５９２を削除する）ように読書部１９２を制御する。制御部１９３は制御信号５９５を読書部１９２へ出力することにより読書部１９２を制御する。読書部１９２は読み出した第一および第二の情報５９１、５９２を出力部１９４へ出力する。出力部１９４は、受け取った第一および第二の情報５９１、５９２を、情報記録媒体１９５とは別の情報記録媒体がセットされた外部装置へ出力する。
【０１６２】
一方、移動制御部１９６において、第二の移動情報５９４が移動許可／不許可情報であるが、第一の移動情報５９３が移動禁止を示していることが判明すれば、制御部１９３は、第一および第二の情報５９１、５９２の移動を禁止するために、第一および第二の情報５９１、５９２を読み出さないように読書部１９２を制御する。
【０１６３】
なお、記録再生装置１９１の動作設定として、第二の情報５９２の移動時には第二の情報５９２が必ず第一の情報５９１と共に移動することが予め決められていれば、読書部１９２が第二の移動情報５９４を情報記録媒体１９５から読み出す動作は省略されてもよい。
【０１６４】
記録再生装置１９１は、情報の読み取り動作と書き込み動作との両方を行う読書部１９２を備えるが、読書部１９２が含む読取り動作を行う読取り部と書込み動作を行う書込み部とが別々に記録再生装置１９１に設けられてもよい。
【０１６５】
本実施の形態によると、電子配信などでオーディオ情報と静止画情報とを含む情報コンテンツをユーザが購入した場合、静止画移動情報が移動許可／不許可情報であれば、静止画情報の移動時には必ずオーディオ情報も移動する。このため、オーディオ情報と静止画情報とは必ず対として扱うという配信側の意図を正しく反映することができる。また、静止画情報の代わりにまたは静止画情報とともにテキスト情報が電子配信される場合も、テキスト情報は静止画情報と同様に扱われる。
【０１６６】
（実施の形態１５）
図２０に、本発明の実施の形態１５の記録再生装置２０１を示す。記録再生装置２０１は、読書部２０２と、制御部２０３と、入出力部２０４とを備える。制御部２０３は、移動制御部２０６を備える。情報記録媒体２０５は、静止画情報６０１と、静止画情報６０１を特定するための固有情報６０２とを含む。
【０１６７】
静止画情報６０１を情報記録媒体２０５とは別の情報記録媒体２０８に移動させる場合には、読書部２０２は、情報記録媒体２０５から固有情報６０２を読み出し、制御部２０３へ出力する。制御部２０３は、制御信号６０４を読書部２０２へ出力することにより読書部２０２を制御し、制御信号６０５を入出力部２０４へ出力することにより入出力部２０４を制御する。移動先の別の情報記録媒体２０８は外部の記録装置２０７にセットされている。制御部２０３が備える移動制御部２０６は、入出力部２０４に接続されている記録装置２０７と、相互認証情報６０３をやり取りすることで相互認証を行い、情報記録媒体２０８に、読書部２０２が読み出した固有情報６０２から特定される別の固有情報が記録されているか否かを判定する。固有情報６０２から特定される別の固有情報は静止画情報６０１とリンク付け可能な情報（例えばオーディオ情報）を特定するための情報である。固有情報６０２で特定される別の固有情報が情報記録媒体２０８に記録されている場合は、静止画情報６０１とリンク付け可能な情報が情報記録媒体２０８に記録されていることを意味する。
【０１６８】
相互認証の結果、固有情報６０２から特定される別の固有情報が情報記録媒体２０８に記録されていることが判明すれば、制御部２０３は、情報記録媒体２０５から情報記録媒体２０８へ静止画情報６０１を移動するように読書部２０２および入出力部２０４を制御する。読書部２０２は情報記録媒体２０５から静止画情報６０１を読み出して、入出力部２０４へ出力する。入出力部２０４は静止画情報６０１を記録装置２０７へ出力する。次に、読書部２０２は情報記録媒体２０５から静止画情報６０１を削除する。しかしながら、相互認証の結果、固有情報６０２から特定される別の固有情報が情報記録媒体２０８に記録されていないことが判明すれば、制御部２０３は情報記録媒体２０８への静止画情報６０１の移動を禁止する。
【０１６９】
なお、静止画情報６０１の代わりに、オーディオ情報、動画情報、テキスト情報、その他の情報のうちの少なくとも一つが移動されてもよい。また、静止画情報６０１とリンク付け可能な情報は、例えば、オーディオ情報および動画情報のうちの少なくとも一方であってもよい。固有情報６０２は、例えばＩＳＲＣコードなどである。
【０１７０】
記録再生装置２０１は、情報の読み取り動作と書き込み動作との両方を行う読書部２０２を備えるが、読書部２０２が含む読取り動作を行う読取り部と書込み動作を行う書込み部とが別々に記録再生装置２０１に設けられてもよい。
【０１７１】
本実施の形態は、オーディオ情報とオーディオ情報とリンク付けされた静止画情報とを含むコンテンツを電子音楽配信からユーザが購入して情報記録媒体に記録し、その後、オーディオ情報のみを他の情報記録媒体に移動させた場合に有用である。この場合、静止画情報をさらに移動させる場合には、静止画情報とリンク付けされていたオーディオ情報（すなわち静止画情報とリンク付け可能なオーディオ情報）が記録されている情報記録媒体にしか移動できない。この結果、静止画情報が単独で他の情報記録媒体に移動されるのを禁止することができ、対として購入したオーディオ情報と静止画情報のそれぞれが違う情報記録媒体に移動されるのを防ぐことができる。
（実施の形態１６）
図２１は、本発明の実施の形態１６の記録再生装置２１１を示す。記録再生装置２１１は、読書部２１２と、制御部２１３と、出力部２１４とを備える。制御部２１３は、移動制御部２１６と、リンク解読部２１７とを備える。情報記録媒体２１５は、静止画情報６０６と、静止画情報６０６に関する静止画移動情報６０７と、静止画情報６０６の再生を管理するための静止画管理情報６０８とを含む。
【０１７２】
静止画情報６０６を情報記録媒体２１５とは別の情報記録媒体に移動させる場合、読書部２１２は、情報記録媒体２１５から静止画移動情報６０７と静止画管理情報６０８とを読み出し、制御部２１３に出力する。制御部２１３は制御信号６０９を読書部２１２へ出力することにより読書部２１２を制御する。制御部２１３が備える移動制御部２１６は静止画移動情報６０７を解読する。制御部２１３が備えるリンク解読部２１７は静止画管理情報６０８を解読する。これらの解読の結果、静止画移動情報６０７が移動許可／不許可情報であることが判明し、静止画情報６０６が他の情報とリンク付けされていないと判明すれば、制御部２１３は、静止画情報６０６の移動のためには静止画情報６０６を読み出さないように読書部２１２を制御する。静止画移動情報６０７が移動許可／不許可情報であり、静止画情報６０６が他の情報とリンク付けされている場合には、制御部２１３は、静止画情報６０６の移動のために、情報記録媒体２１５から静止画情報６０６を読み出すように読書部２１２を制御する。読書部２１２は静止画情報６０６を出力部２１４へ出力する。出力部２１４は、読書部２１２から受け取った静止画情報６０６を出力する。なお、静止画情報６０６の代わりにオーディオ情報、動画情報、テキスト情報、その他の情報について、記録再生装置２１１よって移動のための処理が行われてもよい。
【０１７３】
記録再生装置２１１は、情報の読み取り動作と書き込み動作との両方を行う読書部２１２を備えるが、読書部２１２が含む読取り動作を行う読取り部と書込み動作を行う書込み部とが別々に記録再生装置２１１に設けられてもよい。
【０１７４】
本実施の形態によると、配信などでオーディオ情報と静止画情報とを含む情報コンテンツをユーザが購入した場合、静止画移動情報が移動許可／不許可情報が記録であれば、オーディオ情報と静止画情報とのリンク付けが削除された後は、静止画情報のみがオーディオ情報とは別に移動されることはない。この結果、静止画情報のみが移動されて他のオーディオ情報のために再利用されることはなく、配信されたオーディオ情報と静止画情報とを対として扱うという配信側の意図を正しく反映することができる。また、静止画情報の代わりにまたは静止画情報とともにテキスト情報が電子配信される場合も、テキスト情報は静止画情報と同様に扱われる。
【０１７５】
（実施の形態１７）
図２２に、本発明の実施の形態１７の記録再生装置２２１を示す。記録再生装置２２１は、読書部２２２と、制御部２２３と、出力部２２４とを備える。制御部２２３は、編集制御部２２６を備える。情報記録媒体２２５は、オーディオ情報６１１と、オーディオ情報６１１のコピー許可に関するオーディオコピー情報６１２と、オーディオ情報６１１の移動許可に関するオーディオ移動情報６１３とを含む。制御部２２３は制御信号６１４を読書部２２２へ出力することにより読書部２２２を制御する。
【０１７６】
オーディオ情報６１１の編集を行う場合には、読書部２２２は、情報記録媒体２２５からオーディオコピー情報６１２またはオーディオ移動情報６１３を読み出し、制御部２２３へ出力する。制御部２２３が備える編集制御部２２６は、オーディオコピー情報６１２またはオーディオ移動情報６１３の解読を行う。
【０１７７】
解読の結果、オーディオ移動情報６１３がオーディオ情報６１１の移動を許可していることが判明した場合、制御部２２３は、オーディオ情報６１１の編集後に、オーディオ情報６１１の移動の禁止を示すようにオーディオ移動情報６１３を更新する。制御部２２３は、更新したオーディオ移動情報６１３を読書部２２２を介して情報記録媒体２２５に記録する。
【０１７８】
また、解読の結果、オーディオコピー情報６１２がコピーを無制限に許可していないことが判明した場合、制御部２２３は、オーディオ情報６１１の編集後に、オーディオ情報６１１のコピーの禁止を示すようにオーディオコピー情報６１２を更新する。制御部２２３は、更新したオーディオコピー情報６１２を読書部２２２を介して情報記録媒体２２５に記録する。
【０１７９】
なお、オーディオ情報６１１の移動またはコピーを行う場合には、制御部２２３は、情報記録媒体２２５からオーディオ情報６１１を読み出すように読書部２２２を制御する。読書部２２２はオーディオ情報６１１を出力部２２４へ出力する。出力部２２４は、読書部２２２から受け取ったオーディオ情報６１１を出力する。
【０１８０】
なお、オーディオ情報６１１の代わりに静止画情報、動画情報、テキスト情報、その他の情報に関して、記録再生装置２２１よってコピーおよび移動について示す情報の更新処理が行われてもよい。
【０１８１】
記録再生装置２２１は、情報の読み取り動作と書き込み動作との両方を行う読書部２２２を備えるが、読書部２２２が含む読取り動作を行う読取り部と書込み動作を行う書込み部とが別々に記録再生装置２２１に設けられてもよい。
【０１８２】
本実施の形態によると、移動可能なオーディオ情報や、コピー制限が付与されたオーディオ情報が編集された場合には、オーディオ情報の移動およびコピーを禁止することができる。この結果、音楽配信などでユーザが購入したオリジナルコンテンツに変更を加え、変更されたオーディオ情報があたかもオリジナルオーディオ情報のように振舞いながら他の情報記録媒体に移動およびコピーされるのを防止することができる。
【０１８３】
（実施の形態１８）
図２３は、本発明の実施の形態１８の記録再生装置２３１を示す。記録再生装置２３１は、読書部２３２と、制御部２３３と、出力部２３４と、表示出力部２３７とを備える。制御部２３３は、編集制御部２３６を備える。情報記録媒体２３５は、オーディオ情報６１１と、オーディオ情報６１１のコピー許可に関するオーディオコピー情報６１２と、オーディオ情報６１１の移動許可に関するオーディオ移動情報６１３とを含む。
【０１８４】
オーディオ情報６１１の編集を行う場合には、読書部２３２は、情報記録媒体２３５からオーディオコピー情報６１２またはオーディオ移動情報６１３を読み出し、制御部２３３へ出力する。制御部２２３が備える編集制御部２２６は、オーディオコピー情報６１２またはオーディオ移動情報６１３の解読を行う。
【０１８５】
解読の結果、オーディオ移動情報６１３がオーディオ情報６１１の移動を許可していることが判明した場合、制御部２３７は、表示出力部２３７へ制御信号６１７を出力する。表示出力部１８７は制御信号６１７を受け取ると、編集後のオーディオ情報６１１を他の情報記録媒体に移動できないことを表示し、ユーザに警告を出す。
【０１８６】
また、解読の結果、オーディオコピー情報６１２が、コピーを無制限に許可するコピー自由情報か、コピーを禁止するコピー禁止情報の何れかであることが判明した場合、制御部２３３は、表示出力部２３７へ制御信号６１８を出力する。表示出力部１８７は制御信号６１８を受け取ると、特定の編集（例えば、オーディオ情報６１１の分割、オーディオ情報６１１の部分削除、オーディオ情報６１１と他のオーディオ情報との結合）以外の編集を行ったオーディオ情報６１１は他の情報記録媒体にコピーできないことを表示し、ユーザに警告を出す。
【０１８７】
なお、オーディオ情報６１１の移動またはコピーを行う場合、制御部２３３は、情報記録媒体２３５からオーディオ情報６１１を読み出すように読書部２３２を制御する。読書部２３２はオーディオ情報６１１を出力部２３４へ出力する。出力部２３４は、読書部２３２から受け取ったオーディオ情報６１１を出力する。
【０１８８】
なお、オーディオ情報６１１の代わりに静止画情報、動画情報、テキスト情報、その他の情報に関して、記録再生装置２３１よって警告表示処理が行われてもよい。
【０１８９】
記録再生装置２３１は、情報の読み取り動作と書き込み動作との両方を行う読書部２３２を備えるが、読書部２３２が含む読取り動作を行う読取り部と書込み動作を行う書込み部とが別々に記録再生装置２３１に設けられてもよい。
【０１９０】
本実施の形態によると、移動またはコピーが許可されているオーディオ情報に対して行う編集の種類によっては、編集後のオーディオ情報は他の情報記録媒体に移動またはコピーできないことをユーザに知らせることができる。この結果、ユーザは、オーディオ情報を編集するか、移動またはコピーのために編集しないかを選択することができるため、ユーザにとっては有益である。
【０１９１】
（実施の形態１９）
図２４は、本発明の実施の形態１９の再生装置２４１を示す。再生装置２４１は、読取部２４２と、メモリ部２４３と、制御部２４４と、出力部２４５とを備える。情報記録媒体２４６は、オーディオ情報６２０と、オーディオ情報の再生を制限するためのオーディオ再生制限情報６２１と、オーディオ情報６２０を特定するための固有情報６２２とを含む。制御部２４４は制御信号６２３を読取部２４２へ出力することにより読取部２４２を制御する。
【０１９２】
オーディオ情報６２０を再生する場合、読取部２４２はオーディオ再生制限情報６２１と固有情報６２２とを情報記録媒体２４６から読み出し、制御部２４４へ出力する。制御部２４４は、固有情報６２２がメモリ部２４３に既に格納されているか否かを判定する。判定の結果、メモリ部２４３に固有情報６２２が格納されていないことが判明すれば、制御部２４４は、オーディオ再生制限情報６２１を解読する。制御部２４４は、オーディオ再生制限情報６２１が示す制限に基づいて読取部２４２を制御する。オーディオ再生制限情報６２１の解読の結果、オーディオ情報６２０の再生が許可されていることが判明すれば、制御部２４４は読取部２４２を制御して、オーディオ情報６２０を情報記録媒体２４６から読み出して、出力部２４５へ出力する。出力部２４５は受け取ったオーディオ情報６２０を再生する。さらに、制御部２４４は、オーディオ情報６２０の再生に応じてオーディオ再生制限情報６２１を更新し、固有情報６２２と更新したオーディオ再生制限情報６２１とを対にして、メモリ部２４３に格納する。
【０１９３】
固有情報６２２がメモリ部２４３に既に格納されているか否かの判定時に、固有情報６２２がメモリ部２４３に既に格納されていることが判定されれば、制御部２４４は、メモリ部２４３から固有情報６２２と対として格納されているオーディオ再生制限情報６２１を読み出す。制御部２４４は、読み出されたオーディオ再生制限情報６２１がオーディオ情報６２０の再生の許可を示しているか否かを判定する。オーディオ再生制限情報６２１が再生の許可を示していると判定されれば、制御部２４４は読取部２４２を制御して、オーディオ情報６２０を情報記録媒体２４６から読み出して、出力部２４５へ出力する。出力部２４５は受け取ったオーディオ情報６２０を再生する。さらに、制御部２４４は、オーディオ情報６２０の再生に応じてオーディオ再生制限情報６２１を更新し、固有情報６２２と更新したオーディオ再生制限情報６２１とを対にして、メモリ部２４３に格納する。
【０１９４】
オーディオ再生制限情報６２１が再生の許可を示していないと判定された場合には、制御部２４４は、オーディオ情報６２０を情報記録媒体２４６から読み出さないように制御する。
【０１９５】
なお、オーディオ情報６２０の代わりに静止画情報、動画情報、テキスト情報、その他の情報に関して、記録再生装置２４１よる再生制限情報が示す制限に従った再生処理が行われてもよい。固有情報６２２は、例えばＩＳＲＣコードなどである。
【０１９６】
本実施の形態によると、電子配信などでオーディオ再生制限情報が関連付けられたオーディオ情報をユーザが購入した場合、再生装置のメモリを用いてオーディオ再生制限情報を管理する。このため、オーディオ情報の再生の度に情報記録媒体に記録されているオーディオ再生制限情報の書き換えを行う必要がない。この結果、情報記録媒体への書き込み機能を備えない再生装置であっても、オーディオ再生制限情報が関連付けられたオーディオ情報を再生することが可能となる。
【０１９７】
（実施の形態２０）
図２５Ａは、本発明の実施の形態２０の記録再生装置２５１を示す。記録再生装置２５１は、読書部２５２と、制御部２５３と、取得部２５４と、表示出力部２５６とを備える。記録再生装置２５１は、オーディオ情報６２６とオーディオ情報６２６に関する著作権を示すオーディオ著作権情報６２７とを含む情報コンテンツ６２５を取得して、少なくともオーディオ情報６２６を情報記録媒体２５５に記録する。制御部２５３は制御信号６２８を読書部２５２へ出力することにより読書部２５２を制御する。
【０１９８】
取得部２５４は、情報コンテンツ６２５を電子配信等の情報源から取得すると、オーディオ著作権情報６２７を制御部２５３へ、オーディオ情報６２６を読書部２５２へ出力する。制御部２５３は、オーディオ著作権情報６２７を解読し、オーディオ著作権情報６２７がオーディオ情報６２６の再生を制限するためのオーディオ再生制限情報６２９を含むか否かを判定する。図２５Ｂに示すように、オーディオ著作権情報６２７がオーディオ再生制限情報６２９を含むと判定された場合は、制御部２５３は、オーディオ情報６２６を情報記録媒体２５５に記録しないように読書部２５２を制御する。制御部２５３は、表示出力部２５６へ制御信号６３０を出力する。表示出力部２６５は制御信号６３０を受け取ると、オーディオ再生制限情報が関連付けられたオーディオ情報の記録ができないことを表示し、ユーザに警告する。
【０１９９】
オーディオ著作権情報６２７がオーディオ再生制限情報６２９を含まないと判定された場合は、制御部２５３は、オーディオ情報６２６を情報記録媒体２５５に記録するように読書部２５２を制御する。
【０２００】
なお、オーディオ情報６２６の代わりに静止画情報、動画情報、テキスト情報、その他の情報に関して、記録再生装置２５１よって記録処理が行われてもよい。
【０２０１】
記録再生装置２５１は、情報の読み取り動作と書き込み動作との両方を行う読書部２５２を備えるが、読書部２５２が含む読取り動作を行う読取り部と書込み動作を行う書込み部とが別々に記録再生装置２５１に設けられてもよい。
【０２０２】
本実施の形態によると、記録再生装置が再生制限情報の内容に従ったオーディオ情報の再生を行うことができない場合には、オーディオ再生制限情報が関連付けられたオーディオ情報を情報記録媒体に記録しない。この結果、ユーザがオーディオ再生制限情報が関連付けられたオーディオ情報を記録できたにもかかわらず、記録再生装置がの内容に従ったオーディオ情報の再生を行う機能を備えないために、そのオーディオ情報を再生できないというユーザの混乱を最小限に抑えることができる。
【０２０３】
（実施の形態２１）
図２６Ａは、本発明の実施の形態２１の再生装置２６１を示す。再生装置２６１は、読取部２６２と、制御部２６３と、出力部２６４と、表示出力部２６６とを備える。情報記録媒体２６５は、オーディオ情報６３５と、オーディオ情報６３５に関する著作権を示すオーディオ著作権情報６３６とを含む。制御部２６３は制御信号６３７を読取部２６２へ出力することにより読取部２６２を制御する。
【０２０４】
オーディオ情報６３５を再生する場合、読取部２６２は情報記録媒体２６５からオーディオ著作権情報６３６を読み取り、制御部２６３へ出力する。制御部２６３は、オーディオ著作権情報６３６を解読し、オーディオ著作権情報６３６がオーディオ情報６３５の再生を制限するためのオーディオ再生制限情報６３９を含むか否かを判定する。図２６Ｂに示すように、オーディオ著作権情報６３６がオーディオ再生制限情報６３９を含むと判定された場合には、制御部２６３は、オーディオ情報６３５の再生のためにはオーディオ情報６３５を情報記録媒体２６５から読み取らないように読取部２６２を制御する。さらに、制御部２６３は、表示出力部２６６へ制御信号６３８を出力する。表示出力部２６６は制御信号６３８を受け取ると、オーディオ再生制限情報が関連付けられたオーディオ情報の再生ができないことを表示し、ユーザに警告する。
【０２０５】
オーディオ著作権情報６３６がオーディオ再生制限情報６３９を含まないと判定された場合は、制御部２６３は、オーディオ情報６３５を情報記録媒体２６５から読み取るように読書部２５２を制御する。読書部２６２はオーディオ情報６３５を出力部２６４へ出力する。出力部２６４は、読書部２６２から受け取ったオーディオ情報６３５を出力する。
【０２０６】
なお、オーディオ情報６２６の代わりに静止画情報、動画情報、テキスト情報、その他の情報に関して、再生装置２６１よって再生処理が行われてもよい。
【０２０７】
本実施の形態によると、再生装置が再生制限情報の内容に従ったオーディオ情報の再生を行うことができない場合には、オーディオ再生制限情報が関連付けられたオーディオ情報を再生しない。この結果、設定されたオーディオ再生制限情報を無視してオーディオ情報を再生することを禁止することができる。また、ユーザに対しても警告を表示することで、再生できないことを理解してもらうのは重要である。
【０２０８】
（実施の形態２２）
図２７は、本発明の実施の形態２２の再生装置２７１を示す。再生装置２７１は、読取部２７２と、メモリ部２７３と、制御部２７４と、出力部２７５とを備える。制御部２７４は、再生許可時間情報制御部２７６を備える。情報記録媒体２７７は、オーディオ情報６４１と、オーディオ情報６４１の再生が許可される時間を示す再生許可時間情報６４２と、オーディオ情報６４１を特定するための固有情報６４３とを含む。再生許可時間情報６４２は、情報記録媒体２７７が含むオーディオ再生制限情報に含まれる。制御部２７４は制御信号６４４を読取部２７２へ出力することにより読取部２７２を制御する。
【０２０９】
オーディオ情報６４１を再生する場合、読取部２７２は、再生許可時間情報６４２と固有情報６４３とを情報記録媒体２７７から読み出し、制御部２７４へ出力する。制御部２７４が備える再生許可時間情報制御部２７６は、固有情報６４３がメモリ部２７３に既に格納されているか否かを判定する。メモリ部２７３に固有情報６４３が格納されていないと判定された場合には、再生許可時間情報制御部２７６は再生許可時間情報６４２を解読する。制御部２７４は、再生許可時間情報６４２が示す制限に基づいて読取部２７２を制御する。制御部２７４は、再生許可時間情報６４２が示す再生許可時間に従って、情報記録媒体２７７からオーディオ情報６４１を読み出すように読取部２７２を制御する。読取部２７２はオーディオ情報６４１を出力部２７５へ出力する。出力部２７５は、読取部２７２から受け取ったオーディオ情報６４１を出力する。さらに、制御部２７４は、再生に応じて、再生許可時間情報６４２が示す再生許可時間から再生した時間分だけを減算して残りの再生許可時間を算出する。制御部２７４は、残りの再生許可時間が０になるまではオーディオ情報６４１を再生するように読取部２７２を制御する。残りの再生許可時間が０以下になればオーディオ情報６４１を再生しないように読取部２７２を制御する。
【０２１０】
制御部２７４は、残りの再生許可時間を示す残り時間情報６４５を生成する。再生終了後に、制御部２７４は、生成した残り時間情報６４５を固有情報６４３と対にしてメモリ部２７３に格納する。また、制御部２７４は、再生途中で残りの再生許可時間が０以下になれば再生動作を中止して、残り再生許可時間０を示す残り時間情報６４５または再生を禁止する情報と、固有情報６４３とを対にしてメモリ部２７３に記録する。
【０２１１】
固有情報６４３がメモリ部２７３に既に格納されていると判定された場合には、再生許可時間情報制御部２７６は、固有情報６４３と対として格納されている残り時間情報６４５をメモリ部２７３から読み出し、残り時間情報６４５が示す残り再生許可時間が０より大きい（または再生を禁止する情報がメモリ部２７３に格納されていない）ならば、オーディオ情報６４１の再生を許可する。制御部２７４は、情報記録媒体２７７からオーディオ情報６４１を読み出すように読取部２７２を制御する。読取部２７２はオーディオ情報６４１を出力部２７５へ出力する。出力部２７５は、読取部２７２から受け取ったオーディオ情報６４１を出力する。さらに、制御部２７４は、再生に応じて残り再生許可時間から再生した時間分だけを減算し、再生終了後に、減算された残り再生許可時間を示す残り時間情報６４５をメモリ部２７３に格納する。また、再生途中で残り再生許可時間が０以下になれば再生を中止して、残り再生許可時間０を示す残り時間情報６４５または再生を禁止する情報と、固有情報６４３とを対にしてメモリ部２７３に記録する。
【０２１２】
なお、上記再生手順では、残り時間情報６４５をメモリ部に格納しておき、再生の結果、残り再生許可時間が０になれば再生を禁止する。逆に、メモリ部には、今まで再生してきた時間を示す情報を格納しておき、再生途中は、今まで再生した時間に新たに再生した時間を加算していき、再生した時間が再生許可時間に達すれば再生を禁止するようにしてもよい。
【０２１３】
この場合、制御部２７４は、再生した時間と再生許可時間情報６４２が示す再生許可時間とを比較する。比較した結果、再生した時間が再生許可時間よりも小さければオーディオ情報６４１を再生するように読取部２７２を制御する。再生した時間が再生許可時間になれば、オーディオ情報６４１を再生しないように読取部２７２を制御する。
【０２１４】
制御部２７４は、再生に応じて、再生した時間を示す既再生時間情報６４６を生成する。再生終了後に、制御部２７４は、生成した既再生時間情報６４６を固有情報６４３と対にしてメモリ部２７３に格納する。
【０２１５】
固有情報６４３がメモリ部２７３に既に格納されていると判定された場合には、再生許可時間情報制御部２７６は、固有情報６４３と対として格納されている既再生時間情報６４６をメモリ部２７３から読み出し、既再生時間情報６４６が示す再生した時間と再生許可時間情報６４２が示す再生許可時間とを比較する。既再生時間情報６４６が示す再生した時間が再生許可時間情報６４２が示す再生許可時間よりも小さければオーディオ情報６４１を再生するように読取部２７２を制御する。既再生時間情報６４６が示す再生した時間が再生許可時間情報６４２が示す再生許可時間であれば、オーディオ情報６４１を再生しないように読取部２７２を制御する。
【０２１６】
なお、オーディオ情報６４１の代わりに静止画情報、動画情報、テキスト情報、その他の情報に関して、再生装置２７１よって再生処理が行われてもよい。固有情報６４３は、例えばＩＳＲＣコードなどである。
【０２１７】
本実施の形態によると、情報記録媒体への情報の書き込み機能を備えない再生装置であっても、再生許可時間情報が対応付けられたオーディオ情報を再生することが可能となる。
【０２１８】
（実施の形態２３）
図２８は、本発明の実施の形態２３の再生装置２８１を示す。再生装置２８１は、読取部２８２と、クロック２８３と、制御部２８４と、出力部２８５とを備える。制御部２８４は再生許可期限情報制御部２８７を備える。情報記録媒体２８６はオーディオ情報６５１と、オーディオ情報６５１の再生が許可される期限を示す再生許可期限情報６５２とを含む。再生許可期限情報６５２は、情報記録媒体２８６が含むオーディオ再生制限情報に含まれる。制御部２８４は制御信号６５３を読取部２８２へ出力することにより読取部２７２を制御する。
【０２１９】
オーディオ情報６５１を再生する場合、読取部２８２は、情報記録媒体２８６から再生許可期限情報６５２を読み取り、制御部２８４へ出力する。制御部２７４は、再生許可期限情報６５２が示す制限に基づいて読取部２７２を制御する。制御部２８４が備える再生許可期限情報制御部２８７は、クロック２８３から現在日時を示す日時情報６５４を取得する。
【０２２０】
再生許可期限情報制御部２８７は、時刻情報６５４が示す現在日時と再生許可期限情報６５２が示す再生許可期限とを比較する。比較した結果、現在日時が再生許可期限よりも前であれば、制御部２８４は、情報記録媒体２８６からオーディオ情報６５１を読み出すように読取部２８２を制御する。読取部２８２はオーディオ情報６５１を出力部２８５へ出力する。出力部２８５は、読取部２８２から受け取ったオーディオ情報６５１を出力する。
【０２２１】
しかしながら、現在日時が再生許可期限よりも前でなければ、制御部２８４は、情報記録媒体２８６からオーディオ情報６５１を読み出さないように読取部２８２を制御する。
【０２２２】
なお、オーディオ情報６５１の代わりに静止画情報、動画情報、テキスト情報、その他の情報に関して、再生装置２８１よって再生処理が行われてもよい。
【０２２３】
本実施の形態によると、再生許可期限情報が関連付けられたオーディオ情報の再生を、再生許可期限情報が示す再生許可期限以前でのみ許可することができる。
【０２２４】
（実施の形態２４）
図２９は、本発明の実施の形態２４の再生装置を示す図であり、再生装置２９１は、読取部２９２と、制御部２９３と、出力部２９４とを備える。また、制御部２９３は再生許可領域情報制御部２９６を備える。情報記録媒体２９５は、オーディオ情報６５５と、情報記録媒体２９５のうちの再生が許可される領域を示す再生許可領域情報６５６とを含む。再生許可領域情報６５６は、情報記録媒体２９５が含むオーディオ再生制限情報に含まれる。制御部２９３は制御信号６５７を読取部２９２へ出力することにより読取部２９２を制御する。
【０２２５】
本実施の形態では、再生許可領域情報６５６は、オーディオ情報６５５のうちの再生が許可される部分の再生開始アドレスおよび再生終了アドレスを示す。再生開始アドレスおよび再生終了アドレスは物理アドレスであってもよいし、論理アドレスであってもよい。また、再生許可領域情報６５６は、オーディオ情報６５５のうちの再生が許可される部分の再生開始時間と再生終了時間とを示してもよい。
【０２２６】
オーディオ情報６５５を情報を再生する場合、読取部２９２は、情報記録媒体２９５から再生許可領域情報６５６を読み取り、制御部２９３へ出力する。制御部２９３は、再生許可領域情報６５６が示す制限に基づいて読取部２９２を制御する。制御部２９３が備える再生許可領域情報制御部２９６は、再生許可領域情報６５６を解読し、再生が許可される領域に記録されたオーディオ情報６５５の一部のみを読み出すように読取部２９２を制御する。読取部２９２はオーディオ情報６５５を出力部２９４へ出力する。出力部２９４は、読取部２９２から受け取ったオーディオ情報６５５を出力する。
【０２２７】
なお、動画情報に関連付けられた再生許可領域情報は、例えば、再生開始時刻と再生終了時刻とを示す。この場合、再生装置２９１は、再生許可領域情報が示す再生開始時刻から再生終了時刻まで動画情報を再生する。また、複数の静止画情報に関連付けられた再生許可領域情報は、例えば、再生が許可された静止画を指定する。この場合、再生装置２９１は、指定された静止画情報のみを再生する。また、複数のテキスト情報に関連付けられた再生許可領域情報は、例えば、再生が許可されたテキスト情報を指定する。この場合、再生装置２９１は、指定されたテキスト情報のみを表示するように動作する。
【０２２８】
本実施の形態によると、再生許可領域情報が関連付けられたオーディオ情報を再生する再生装置を提供することができる。
【０２２９】
（実施の形態２５）
図３０は、本発明の実施の形態２５の再生装置３０１を示す。再生装置３０１は、読取部３０２と、メモリ部３０３と、制御部３０４と、出力部３０５とを備える。制御部３０４は、再生許可回数情報制御部３０６を備える。情報記録媒体３０７は、オーディオ情報６６１と、オーディオ情報６６１の再生が許可される回数を示す再生許可回数情報６６２と、オーディオ情報６６１を特定するための固有情報６６３とを含む。再生許可回数情報６６２は、情報記録媒体３０７が含むオーディオ再生制限情報に含まれる。制御部３０４は制御信号６６４を読取部３０２へ出力することにより読取部３０２を制御する。
【０２３０】
オーディオ情報６６１を再生する場合、読取部３０２は、再生許可回数情報６６２と固有情報６６３とを情報記録媒体３０７から読み出し、制御部３０４へ出力する。制御部３０４が備える再生許可回数情報制御部３０６は、固有情報６６３がメモリ部３０３に既に格納されているか否かを判定する。メモリ部３０３に固有情報６６３が格納されていないと判定された場合には、再生許可回数情報制御部３０６は再生許可回数情報６６２を解読する。制御部３０４は、再生許可回数情報６６２が示す制限に基づいて読取部３０２を制御する。制御部３０４は、再生許可回数情報６６２が示す再生許可回数に従って、情報記録媒体３０７からオーディオ情報６６１を読み出すように読取部３０２を制御する。読取部３０２はオーディオ情報６６１を出力部３０５へ出力する。出力部３０５は、読取部３０２から受け取ったオーディオ情報６６１を出力する。さらに、制御部３０４は、再生に応じて、再生許可回数情報６６２が示す再生許可回数から再生した回数分だけを減算して残りの再生許可回数を算出する。制御部３０４は、残りの再生許可回数が０になるまではオーディオ情報６６１を再生するように読取部３０２を制御する。残りの再生許可回数が０以下になればオーディオ情報６６１を再生しないように読取部３０２を制御する。
【０２３１】
制御部３０４は、残りの再生許可回数を示す残り再生回数情報６６５を生成する。再生終了後に、制御部３０４は、生成した残り再生回数情報６６５を固有情報６６３と対にしてメモリ部３０３に格納する。また、制御部３０４は、再生途中で残りの再生許可回数が０以下になれば再生動作を中止して、残り再生許可回数０を示す残り再生回数情報６６５または再生を禁止する情報と、固有情報６６３とを対にしてメモリ部３０３に記録する。
【０２３２】
固有情報６６３がメモリ部３０３に既に格納されていると判定された場合には、再生許可回数情報制御部３０６は、固有情報６６３と対として格納されている残り再生回数情報６６５をメモリ部３０３から読み出し、残り再生回数情報６６５が示す残り再生許可回数が０より大きい（または再生を禁止する情報がメモリ部３０３に格納されていない）ならば、オーディオ情報６６１の再生を許可する。制御部３０４は、情報記録媒体３０７からオーディオ情報６６１を読み出すように読取部３０２を制御する。読取部３０２はオーディオ情報６６１を出力部３０５へ出力する。出力部３０５は、読取部３０２から受け取ったオーディオ情報６６１を出力する。さらに、制御部３０４は、再生に応じて残り再生許可回数から再生した回数分だけを減算し、再生終了後に、減算された残り再生許可回数を示す残り再生回数情報６６５をメモリ部３０３に格納する。また、再生途中で残り再生許可回数が０以下になれば再生を中止して、残り再生許可回数０を示す残り再生回数情報６６５または再生を禁止する情報と、固有情報６６３とを対にしてメモリ部３０３に記録する。
【０２３３】
なお、上記再生手順では、残り再生回数情報６６５をメモリ部に格納しておき、再生の結果、残り再生許可回数が０になれば再生を禁止する。逆に、メモリ部には、今まで再生してきた回数を示す情報を格納しておき、再生途中は、今まで再生した回数に新たに再生した回数を加算していき、再生した回数が再生許可回数に達すれば再生を禁止するようにしてもよい。
【０２３４】
この場合、制御部３０４は、再生した回数と再生許可回数情報６６２が示す再生許可回数とを比較する。比較した結果、再生した回数が再生許可回数よりも小さければオーディオ情報６６１を再生するように読取部３０２を制御する。再生した回数が再生許可回数になれば、オーディオ情報６６１を再生しないように読取部３０２を制御する。
【０２３５】
制御部３０４は、再生に応じて、再生した回数を示す既再生回数情報６６６を生成する。再生終了後に、制御部３０４は、生成した既再生回数情報６６６を固有情報６６３と対にしてメモリ部３０３に格納する。
【０２３６】
固有情報６６３がメモリ部３０３に既に格納されていると判定された場合には、再生許可回数情報制御部３０６は、固有情報６６３と対として格納されている既再生回数情報６６６をメモリ部３０３から読み出し、既再生回数情報６６６が示す再生した回数と再生許可回数情報６６２が示す再生許可回数とを比較する。既再生回数情報６６６が示す再生した回数が再生許可回数情報６６２が示す再生許可回数よりも小さければオーディオ情報６６１を再生するように読取部３０２を制御する。既再生回数情報６６６が示す再生した回数が再生許可回数情報６６２が示す再生許可回数であれば、オーディオ情報６６１を再生しないように読取部３０２を制御する。
【０２３７】
なお、オーディオ情報６６１の代わりに静止画情報、動画情報、テキスト情報、その他の情報に関して、再生装置３０１よって再生処理が行われてもよい。固有情報６６３は、例えばＩＳＲＣコードなどである。
【０２３８】
本実施の形態によると、情報記録媒体への情報の書き込み機能を備えない再生装置であっても、再生許可回数情報が対応付けられたオーディオ情報を再生することが可能となる。
【０２３９】
（実施の形態２６）
図３１は、本発明の実施の形態２６の再生装置３１１を示す。再生装置３１１は、読取部３１２と、メモリ部３１３と、制御部３１４と、出力部３１５と、クロック３１７とを備える。制御部３１４は初回再生時以降再生許可期間情報制御部３１６を備える。情報記録媒体３１８は、オーディオ情報６７０と、オーディオ情報６７０の最初の再生時からの再生が許可される期間を示す初回再生時以降再生許可期間情報６７１と、オーディオ情報６７０を特定するための固有情報６７２とを含む。初回再生時以降再生許可期間情報６７１は、情報記録媒体３１８が含むオーディオ再生制限情報に含まれる。制御部３１４は制御信号６７３を読取部３１２へ出力することにより読取部３１２を制御する。
【０２４０】
オーディオ情報６７０を再生する場合、読取部３１２は、情報記録媒体３１８から初回再生時以降再生許可期間情報６７１と固有情報６７２とを読み出し、制御部３１４へ出力する。制御部３１４は、初回再生時以降再生許可期間情報６７１が示す制限に基づいて読取部３１２を制御する。制御部３１４が備える初回再生時以降再生許可期間情報制御部３１６では、固有情報６７２がメモリ部３１３に格納されているか否かを判定する。メモリ部３１３に固有情報６７２が格納されていないと判定された場合は、初回再生時以降再生許可期間情報制御部３１６は、クロック３１７から現在日時（すなわち初回再生日時）を示す日時情報６７４を取得する。初回再生時以降再生許可期間情報制御部３１６は、日時情報６７４が示す初回再生日時と、初回再生時以降再生許可期間情報６７１が示す再生許可期間とを和算して再生許可期限を算出する。初回再生時以降再生許可期間情報制御部３１６は、現在日時と再生許可期限とを比較する。
【０２４１】
比較の結果、現在日時が再生許可期限よりも前であれば、制御部３１４は、情報記録媒体３１８からオーディオ情報６７０を読み出すように読取部３１２を制御する。読取部３１２はオーディオ情報６７０を出力部３１５へ出力する。出力部３１５は、読取部３１２から受け取ったオーディオ情報６７０を出力する。現在日時が再生許可期限よりも前でなければ、制御部３１４は、情報記録媒体３１８からオーディオ情報６７０を読み出さないように読取部３１２を制御する。
【０２４２】
さらに、制御部３１４は、再生許可期限を示す期限情報６７５と、初回再生日時を示す初回再生日時情報６７６とを生成する。制御部３１４は、生成した期限情報６７５と初回再生日時情報６７６と固有情報６７２とをセットにしてメモリ部３１３に格納する。
【０２４３】
固有情報６７２がメモリ部３１３に格納されているか否かを判定した結果、メモリ部３１３に固有情報６７２が格納されていると判定された場合には、初回再生時以降再生許可期間情報制御部３１６は、固有情報６７２とセットにして格納されている期限情報６７５と初回再生日時情報６７６とをメモリ部３１３から読み出し、さらに、クロック３１７から日時情報６７４を取得する。初回再生時以降再生許可期間情報制御部３１６は、初回再生日時および再生許可期限と、現在日時とを比較する。
【０２４４】
比較の結果、現在日時が初回再生日時と再生許可期限との間である（すなわち現在日時が再生許可期限よりも前である）ならば、制御部３１４は、情報記録媒体３１８からオーディオ情報６７０を読み出すように読取部３１２を制御する。現在日時が初回再生日時と再生許可期限との間でない（すなわち現在日時が再生許可期限よりも前でない）ならば、制御部３１４は、情報記録媒体３１８からオーディオ情報６７０を読み出さないように読取部３１２を制御する。
【０２４５】
なお、オーディオ情報６７０の代わりに静止画情報、動画情報、テキスト情報、その他の情報に関して、再生装置３１１による再生処理が行われてもよい。
【０２４６】
本実施の形態によると、初回再生時以降再生許可期間情報が関連付けられたオーディオ情報を再生することが出来る再生装置を提供することが出来る。
【０２４７】
（実施の形態２７）
図３２は、本発明の実施の形態２７の再生装置３２１を示す。再生装置３２１は、読取部３２２と、制御部３２３と、出力部３２４とを備える。制御部３２３は再生品質情報制御部３２５を備える。情報記録媒体３２６は、オーディオ情報６８０と、オーディオ情報６８０の再生時の再生品質を示す再生品質情報６８１とを含む。再生品質情報６８１は、情報記録媒体３２６が含むオーディオ再生制限情報に含まれる。制御部３２３は制御信号６８２を出力部３２４へ出力することにより出力部３２４を制御する。
【０２４８】
オーディオ情報６８０を再生する場合、読取部３２２は、情報記録媒体３２６からオーディオ情報６８０と再生品質情報６８１とを読み取り、再生品質情報６８１を制御部３２３へ、オーディオ情報６８０を出力部３２４へ出力する。制御部３２３は、再生品質情報６８１が示す制限に基づいて読取部３２２を制御する。制御部３２３が備える再生品質情報制御部３２５は、再生品質情報６８１を解読し、再生品質情報６８１が指定する再生品質に応じてオーディオ情報６８０を再生するように、出力部３２４を制御する。出力部３２４は再生品質情報６８１が指定する再生品質にてオーディオ情報６８０を出力する。再生品質情報６８１が示す再生品質は、例えば、２チャンネルかつＣＤ音質、モノラルかつＣＤ音質等である。
【０２４９】
本実施の形態によると、再生品質情報が関連付けられたオーディオ情報を再生することが出来る再生装置を提供することが出来る。
【０２５０】
（実施の形態２８）
図３３は、本発明の実施の形態２８の再生装置３３１を示す。再生装置３３１は、読取部３３２と、制御部３３３と、出力部３３４とを備える。制御部３３３は再生許可／不許可情報制御部３３５を備える。情報記録媒体３３６は、第一の情報６９０と、第一の情報６９０とリンク付けされた第二の情報６９１と、第一の情報６９０の再生を制限するための第一の再生制限情報６９２と、第二の情報６９１の再生を制限するための第二の再生制限情報６９３とを含む。第一の情報６９０、第二の情報６９１は、例えば、オーディオ情報、動画情報、静止画情報、テキスト情報、その他の情報などである。より具体的には、第一の情報６９０は、オーディオ情報、動画情報のうちの少なくとも一方であり、第二の情報６９１は、静止画情報、テキスト情報のうちの少なくとも一方である。制御部３３３は制御信号６９４を読取部３３２へ出力することにより読取部３３２を制御する。
【０２５１】
第一の情報６９０と第二の情報６９１とを再生する場合、読取部３３２は、情報記録媒体３３６から第一の再生制限情報６９２と第二の再生制限情報６９３とを読み出し、制御部３３３へ出力する。制御部３３３は、第一の再生制限情報６９２と第二の再生制限情報６９３とが示す制限に基づいて読取部３３２を制御する。制御部３３３が備える再生許可／不許可情報制御部３３５は、第一の再生制限情報６９２と第二の再生制限情報６９３とを解読し、第二の再生制限情報６９３が、第二の情報６９１の再生は第一の再生制限情報６９２が第一の情報６９０の再生を許可している場合にのみ許可されることを示す再生許可／不許可情報であるか否かを判定する。また、再生許可／不許可情報制御部３３５は、第一の再生制限情報６９２が第一の情報６９０の再生を許可しているか否かを判定する。判定の結果、第二の再生制限情報６９３が再生許可／不許可情報であり、第一の再生制限情報６９２が第一の情報６９０の再生を許可していれば、制御部３３３は、第一の情報６９０を再生のために読取部３３２が読み出す際には、第二の情報６９１も読み出すことを許可するように読取部３３２を制御する。読取部３３２は情報記録媒体３３６から読取った第一の情報６９０と第二の情報６９１とを出力部３３４へ出力する。出力部３３４は、読取部３３２から受け取った第一の情報６９０と第二の情報６９１とを出力する。
【０２５２】
一方、第一の再生制限情報６９２が第一の情報６９０の再生を許可していないと判定された場合には、制御部３３３は、第一の情報６９０と第二の情報６９１との両方を再生のために読取部３３２が読み出すことを許可しないように読取部３３２を制御する。
【０２５３】
本実施の形態によると、電子音楽配信で静止画情報とオーディオ情報とを含む情報コンテンツをユーザが購入した場合、静止画情報の再生制限情報が再生許可／不許可情報であれば、オーディオ情報が再生される場合にのみ静止画情報の再生が許可される。このため、静止画情報がオーディオ情報の再生とは無関係に再生されてしまうことを防ぐことができ、オーディオ情報と静止画情報とを同時に再生するという配信側の意図を反映することができる。また、静止画情報の代わりにまたは静止画情報とともにテキスト情報が電子配信される場合も、テキスト情報は静止画情報と同様に扱われる。
【０２５４】
（実施の形態２９）
図３４は、本発明の実施の形態２９の再生装置３４１を示す。再生装置３４１は、読取部３４２と、制御部３４３と、出力部３４４とを備える。制御部３４３は、再生許可／不許可情報制御部３４６と、リンク解読部３４７とを備える。情報記録媒体３４５は、静止画情報７１０と、静止画情報７１０の再生を制限するための静止画再生制限情報７１１と、静止画情報７１０の再生を管理するための静止画管理情報７１２とを含む。制御部３４７は制御信号７１３を読取部３４２へ出力することにより読取部３４２を制御する。
【０２５５】
静止画情報７１０を再生する場合、読取部３４２は、情報記録媒体３４５から静止画再生制限情報７１１と静止画管理情報７１２とを読み出し、制御部３４３に出力する。制御部３４３は、静止画再生制限情報７１１が示す制限に基づいて読取部３４２を制御する。制御部３４３が備える再生許可／不許可情報制御部３４６は、静止画再生制限情報７１１を解読する。さらにリンク解読部３４７は静止画管理情報７１２を解読する。再生許可／不許可情報制御部３４６およびリンク解読部３４７によって、静止画再生制限情報７１１が再生許可／不許可情報であることが判明し、静止画情報７１０が他の情報とリンク付けされていないことが判明すれば、制御部３４３は、再生のためには静止画情報７１０を読み出さないように読取部３４２を制御する。
【０２５６】
静止画再生制限情報７１１が再生許可／不許可情報であることが判明し、静止画情報７１０が他の情報とリンク付けされていることが判明すれば、制御部３４３は、再生のためには静止画情報７１０を読み出すように読取部３４２を制御する。読取部３４２は静止画情報７１０を出力部３４４へ出力する。出力部３４４は、読取部３４２から受け取った静止画情報７１０を出力する。このとき、静止画情報７１０は、リンク付けされている他の情報とともに再生される。
【０２５７】
なお、静止画情報７１０の代わりにオーディオ情報、動画情報、テキスト情報、その他の情報に関して、再生装置３４１による再生処理が行われてもよい。
【０２５８】
本実施の形態によると、電子配信などでオーディオ情報と静止画情報とを含む情報コンテンツをユーザが購入した場合、静止画再生制限情報が再生許可／不許可情報であれば、ユーザによる編集によってオーディオ情報が別の静止画情報とリンク付けされたとしても、情報コンテンツに含まれる静止画情報が単独で再生されることを禁止することができる。この結果、電子配信された情報コンテンツに含まれるオーディオ情報と静止画情報とは同時に再生されるべきであるという配信側の意図を反映することができる。また、静止画情報の代わりにまたは静止画情報とともにテキスト情報が電子配信される場合も、テキスト情報は静止画情報と同様に扱われる。
【０２５９】
（実施の形態３０）
図３５は、本実施の形態の再生装置３５１を示す図であり、再生装置３５１は、読取部３５２と、制御部３５３と、出力部３５４とを備える。制御部３５３は常時再生許可情報制御部３５５を備える。情報記録媒体３５６は、第一の情報７１０と、第一の情報７１０とリンク付けされた第二の情報７１１と、第一の情報７１０の再生を制限するための第一の再生制限情報７１２と、第二の情報７１１の再生を制限するための第二の再生制限情報７１３とを含む。第一の情報７１０、第二の情報７１１は、例えば、オーディオ情報、動画情報、静止画情報、テキスト情報、その他の情報などである。より具体的には、第一の情報７１０は、オーディオ情報、動画情報のうちの少なくとも一方であり、第二の情報７１１は、静止画情報、テキスト情報のうちの少なくとも一方である。制御部３５３は制御信号７１４を読取部３５２へ出力することにより読取部３５２を制御する。
【０２６０】
第一の情報７１０、第二の情報７１１を再生する場合、読取部３５２は、情報記録媒体３５６から第一の再生制限情報７１２と第二の再生制限情報７１３とを読み出し、制御部３５３へ出力する。制御部３５３は、第一の再生制限情報７１２と第二の再生制限情報７１３とが示す制限に基づいて読取部３５２を制御する。制御部３５３が備える常時再生許可情報制御部３５５は、第二の再生制限情報７１３を解読し、第二の再生制限情報７１３が、第二の情報７１１の再生は、第一の再生制限情報７１２によって第一の情報７１０の再生が許可されるか否かにかかわらず許可されることを示す常時再生許可情報であるか否かを判定する。判定の結果、第二の再生制限情報７１３が常時再生許可情報であることが判明すれば、制御部３５３は、第一の情報７１０の再生が許可されているか否かにかかわらず第二の情報７１１を読取部３５２が再生のために読み出すことを許可するように読取部３５２を制御する。読取部３５２は第二の情報７１１を出力部３５４へ出力する。出力部３５４は、読取部３５２から受け取った第二の情報７１１を出力する。第一の情報７１０の再生が許可されている場合は、第一の情報７１０と第二の情報７１１とが再生されるように読取部３５２および出力部３５４は動作し得る。
【０２６１】
本実施の形態によると、再生制限情報が関連付けられたオーディオ情報と再生制限情報が関連付けられた静止画情報とを含む情報コンテンツを電子音楽配信でユーザが購入した場合、静止画情報に関連付けられた再生制限情報が常時再生許可情報が記録であれば、再生制限情報の内容によってオーディオ情報が再生不可であったとしても、静止画情報を再生することができる。この結果、オーディオ情報のメニュー表示などで静止画情報を使用することができ、ユーザにとっては非常に有益である。また、静止画情報の代わりにまたは静止画情報とともにテキスト情報が電子配信される場合も、テキスト情報は静止画情報と同様に扱われる。
【０２６２】
（実施の形態３１）
図３６は、本発明の実施の形態３１の記録再生装置３６１を示す。記録再生装置３６１は、読書部３６２と、制御部３６３と、出力部３６４とを備える。制御部３６３は、編集制御部３６５を備える。情報記録媒体３６６は、オーディオ情報７２０と、オーディオ情報７２０の編集許可に関するオーディオ編集情報７２１と、オーディオ情報７２０の再生を管理するためのオーディオ管理情報７２２とを含む。
【０２６３】
オーディオ情報７２０を編集する場合、読書部３６２は、情報記録媒体３６６から、オーディオ編集情報７２１とオーディオ管理情報７２２とを読み出し、制御部３６３に出力する。制御部３６３が備える編集制御部３６５はオーディオ編集情報７２１を解読して、オーディオ編集情報７２１が情報の編集を禁止する条件付編集許可情報であることが判明した場合、編集制御部３６５はオーディオ情報７２０の削除以外の編集のためにオーディオ管理情報７２２の内容を書き換えることを禁止する。
【０２６４】
また、オーディオ編集情報７２１が無条件編集許可情報であることが判明した場合、編集制御部３６５は、オーディオ情報７２０のいかなる編集によるオーディオ管理情報７２２の書き換えも許可する。
【０２６５】
編集されたまたは編集されていないオーディオ情報７２０を再生する場合、制御部３６３は、オーディオ情報７２０が再生されるように読書部３６２および出力部３６４を制御する。
【０２６６】
なお、オーディオ情報７２０の代わりに静止画情報、動画情報、テキスト情報、その他の情報に関して、記録再生装置３６１による編集処理が行われてもよい。
【０２６７】
記録再生装置３６１は、情報の読み取り動作と書き込み動作との両方を行う読書部３６２を備えるが、読書部３６２が含む読取り動作を行う読取り部と書込み動作を行う書込み部とが別々に記録再生装置３６１に設けられてもよい。
【０２６８】
本実施の形態によると、電子配信などでオーディオ情報をユーザが購入した場合、オーディオ編集情報が条件付編集許可情報であれば、ユーザによるオーディオ情報の編集を禁止することができる。この結果、ユーザによって編集されたオーディオ情報が、あたかもオリジナルのオーディオ情報として他の情報記録媒体にコピーされたり移動されたりするのを防ぐことができる。また、オーディオ編集情報が条件付編集許可情報である場合でも、不要なデータは削除したいというユーザの権利は守られる。
【０２６９】
（実施の形態３２）
図３７は、本発明の実施の形態３２の記録装置を示す。記録装置３７１は、記録部３７２と、制御部３７３と、取得部３７５とを備える。制御部３７３は、編集制御部３７４を備える。情報コンテンツ７３０は、オーディオ情報７３１と、オーディオ情報７３１の著作権を示す著作権情報７３２とを含む。
【０２７０】
取得部３７５は、情報コンテンツ７３０を電子配信等の情報源から取得すると、著作権情報７３２を制御部３７３へ、オーディオ情報７３１を記録部３７２へ出力する。制御部３７３が備える編集制御部３７４は、著作権情報７３２がオーディオ再生制限情報を含んでいると判断すると、オーディオ情報７３１のオーディオ編集制限情報として、削除以外の編集を禁止する条件付編集許可情報７３３を記録部３７２へ出力する。記録部３７２は、オーディオ情報７３１と条件付編集許可情報７３３とを情報記録媒体３７６に記録する。
【０２７１】
なお、オーディオ情報７３１の代わりに静止画情報、動画情報、テキスト情報、その他の情報に関して、記録装置３７１による記録処理が行われてもよい。
【０２７２】
本実施の形態によると、電子音楽配信などでユーザが購入したオーディオ再生制限情報が関連付けられたオーディオ情報を記録する場合、削除以外の編集を禁止するような制限を加えたオーディオ情報を記録することができる。例えば、オーディオ再生制限情報が再生可能領域を指定する再生許可領域情報である場合、オーディオ情報が編集されると再生許可領域情報に影響が生じる可能性がある。このため、再生制限情報が関連付けられたオーディオ情報の編集を禁止するのは有効である。
【０２７３】
（実施の形態３３）
図３８は、本発明の実施の形態３３の記録再生装置３８１を示す。記録再生装置３８１は、読書部３８２と、制御部３８３と、出力部３８４とを備える。制御部３８３はリンク情報制御部３８５を備える。情報記録媒体３８６は、オーディオ情報７４１と、オーディオ情報７４１と他の情報との間のリンク付けの許可および不許可に関するリンク情報７４２と、オーディオ情報７４１の再生を管理するためのオーディオ管理情報７４３とを含む。
【０２７４】
オーディオ情報７４１と他の情報との間のリンク付けを変更する場合、読書部３８２は、情報記録媒体３８６から、リンク情報７４２と、オーディオ管理情報７４３とを読み取り、制御部３８３へ出力する。制御部３８３が備えるリンク情報制御部３８５は、リンク情報７４２がリンクの編集を許可するリンク許可情報であるか否かを判定する。判定の結果、リンク情報７４２がリンク許可情報であることが判明すれば、リンク情報制御部３８５は、オーディオ管理情報７４３が示すオーディオ情報７４１と他の情報との間のリンク付けに関して、リンク付けの削除または追加を許可する。
【０２７５】
一方、判定の結果、リンク情報７４２がリンクの編集を禁止するリンク禁止情報であることが判明すれば、リンク情報制御部３８５は、オーディオ管理情報７４３が示すオーディオ情報７４１と他の情報との間のリンク付けに関して、リンク付けの削除または追加を禁止する。
【０２７６】
なお、オーディオ情報７４１の代わりに静止画情報、動画情報、テキスト情報、その他の情報に関して、記録再生装置３８１によるリンク付けに関する編集処理が行われてもよい。
【０２７７】
リンク付けが変更されたまたは変更されていないオーディオ情報７４１を再生する場合には、制御部３８３は、オーディオ情報７４１が再生されるように読書部３８２および出力部３８４を制御する。
【０２７８】
記録再生装置３８１は、情報の読み取り動作と書き込み動作との両方を行う読書部３８２を備えるが、読書部３８２が含む読取り動作を行う読取り部と書込み動作を行う書込み部とが別々に記録再生装置３８１に設けられてもよい。
【０２７９】
本実施の形態によると、オーディオ情報と静止画情報とを含む情報コンテンツを電子音楽配信でユーザが購入した場合、オーディオ情報にリンク禁止情報が関連付けられていれば、ユーザが別の静止画情報をオーディオ情報にリンク付けすることを禁止することができる。この結果、電子配信で購入したオーディオ情報と静止画情報とは対として扱うという配信側の意図を反映することができる。また、ユーザがＣＤ等からコピーしたオーディオ情報にリンク許可情報を関連付けていれば、ユーザが任意に静止画情報をリンク付けすることができる。従って、ユーザが任意に静止画情報を貼り付けられるオーディオ情報と、貼り付けを禁止するオーディオ情報との両方を管理することが可能となる。また、静止画情報の代わりにまたは静止画情報とともにテキスト情報が電子配信される場合も、テキスト情報は静止画情報と同様に扱われる。
【０２８０】
（実施の形態３４）
図３９は、本発明の実施の形態３４の記録装置３９１を示す。記録装置３９１は、読書部３９２と、制御部３９３と、取得部３９４とを備える。制御部３９３は、リンク情報制御部３９５を備える。情報コンテンツ７５０は、オーディオ情報７５１と、オーディオ情報７５１を特定するための固有情報７５２とを含む。
【０２８１】
取得部３９４は、電子配信等の情報源から情報コンテンツ７５０を取得すると、固有情報７５２を制御部３９３へ、オーディオ情報７５１を読書部３９２へ出力する。また、読書部３９２は、情報記録媒体３９６に記録されている情報の再生を管理するための管理情報７５３と固有情報７５５とを読み出し、制御部３９３に出力する。制御部３９３が備えるリンク情報制御部３９５は、固有情報７５５と固有情報７５２とが同じ情報であるか否かを判定する。判定の結果、固有情報７５５と固有情報７５２とが同じ情報であれば、オーディオ情報７５１と、固有情報７５５から特定される情報記録媒体３９６中の情報とをリンク付けするように管理情報７５４を書き換え、読書部３９２に出力する。さらには、オーディオ情報７５１と固有情報７５５から特定される情報記録媒体３９６中の情報との間のリンク関係の変更を禁止することを示すリンク情報７５３を読書部３９２に出力する。読書部３９２は、オーディオ情報７５１と、書き換えられた管理情報７５４と、リンク情報７５３とを情報記録媒体３９６に記録する。
【０２８２】
なお、オーディオ情報７５１の代わりに静止画情報、動画情報、テキスト情報、その他の情報に関して、記録装置３９１によるリンク付け処理が行われてもよい。固有情報７５２、７５５は、例えばＩＳＲＣコードなどである。
【０２８３】
記録装置３９１は、情報の読み取り動作と書き込み動作との両方を行う読書部３９２を備えるが、読書部３９２が含む読取り動作を行う読取り部と書込み動作を行う書込み部とが別々に記録再生装置３９１に設けられてもよい。
【０２８４】
本実施の形態によると、電子音楽配信でオーディオ情報と静止画情報とを含む情報コンテンツをユーザが購入し、購入後にオーディオ情報のみを他の情報記録媒体に移動して、また元の情報記録媒体にそのオーディオ情報を移動させる場合、そのオーディオ情報と電子配信で共に購入していた上記静止画情報とを自動的にリンク付けすることができる。この結果、一度オーディオ情報と静止画情報が別々になったとしても、再度同じ情報記録媒体に記録されれば自動的にリンク付けされるため、ユーザにとっては非常に便利である。また、静止画情報の代わりにまたは静止画情報とともにテキスト情報が電子配信される場合も、テキスト情報は静止画情報と同様に扱われる。
【０２８５】
（実施の形態３５）
図４０は、本発明の実施の形態３５の記録再生装置４０１を示す。記録再生装置４０１は、読書部４０２と、制御部４０３と、出力部４０４とを備える。制御部４０３は、編集制御部４０５を備える。情報記録媒体４０６は、第一の情報７６１と、第一の情報７６１を特定するための固有情報７６４と、第一の情報７６１の再生を管理するための管理情報７６３とを含む。情報記録媒体４０６は、第二の情報７６２をさらに含み得る。
【０２８６】
第一の情報７６１、第二の情報７６２は、例えば、オーディオ情報、動画情報、静止画情報、テキスト情報、その他の情報などである。より具体的には、第一の情報７６１は、オーディオ情報、動画情報のうちの少なくとも一方であり、第二の情報７６２は、静止画情報、テキスト情報のうちの少なくとも一方である。固有情報７６４は、例えばＩＳＲＣコードなどである。
制御部４０３は制御信号７６５を読書部４０２へ出力することにより読書部４０２を制御する。
【０２８７】
第一の情報７６１を削除する場合、読書部４０２は、情報記録媒体４０６から管理情報７６３と、固有情報７６４とを読み出し、制御部４０３へ出力する。制御部４０３が備える編集制御部４０５は、管理情報７６３を解読して、削除する第一の情報７６１とリンク付けされた第二の情報７６２（リンク付けされた第二の情報７６２には固有情報７６４と同じ固有情報が関連付けられている）が情報記録媒体４０６に記録されているか否かを判定する。このとき、編集制御部４０５は、固有情報７６４と同じ固有情報が関連付けられている第二の情報７６２が情報記録媒体４０６に記録されているか否かについて、読書部４０２を介して情報記録媒体４０６中を検索してもよい。
【０２８８】
判定の結果、第二の情報７６２が情報記録媒体４０６に記録されている場合には、制御部４０３は、情報記録媒体４０６から第一の情報７６１を削除する際には第二の情報７６２も削除するように読書部４０２を制御する。第二の情報７６２が情報記録媒体４０６に記録されていない場合には、制御部４０３は、情報記録媒体４０６から第一の情報７６１のみを削除するように読書部４０２を制御する。
【０２８９】
第一の情報７６１、第二の情報７６２を再生する場合には、第一の情報７６１、第二の情報７６２とが再生されるように読取部３５２および出力部３５４は動作し得る。
【０２９０】
記録再生装置４０１は、情報の読み取り動作と書き込み動作との両方を行う読書部４０２を備えるが、読書部４０２が含む読取り動作を行う読取り部と書込み動作を行う書込み部とが別々に記録再生装置４０１に設けられてもよい。
【０２９１】
本実施の形態によると、電子音楽配信で、固有情報がそれぞれ付与されたオーディオ情報と静止画情報とをユーザが購入して情報記録媒体に記録した場合、そのオーディオ情報と静止画情報とがリンク付けされていれば、オーディオ情報の削除の際には静止画情報も同時に削除される。このため、ユーザが、オーディオ情報のみを削除して静止画情報を勝手に他のオーディオ情報にリンク付けして再利用することを防ぐことが可能となる。また、静止画情報の代わりにまたは静止画情報とともにテキスト情報が電子配信される場合も、テキスト情報は静止画情報と同様に扱われる。
【０２９２】
（実施の形態３６）
図４１は、本発明の実施の形態３６の記録再生装置を示す図であり、記録再生装置４１１は、読書部４１２と、制御部４１３と、出力部４１４とを備える。また、制御部４１３は、限定リンク付制御部４１５を備える。情報記録媒体４６１は、第一の情報７７１と、第一の情報７７１の再生を管理するための管理情報７７３と、第一の情報を特定するための第一の固有情報７７４とを含む。
【０２９３】
第一の情報７７１を他の情報とリンク付けする場合、読書部４１２は、固有情報７７４を含む複数の固有情報と、管理情報７７３とを情報記録媒体４６１から読み出し、制御部４１３へ出力する。限定リンク付制御部４１５は、固有情報７７４を含む複数の固有情報を解読し、第一の固有情報７７４で特定される第二の固有情報７７５があるか否かを判定する。判定の結果、第二の固有情報７７５が存在していれば、第二の固有情報７７５から特定される第二の情報７７２（第二の情報７７２は情報記録媒体４６１に記録されている）と第一の情報７７１とをリンク付けするように管理情報７７３を書き換える。しかしながら、第二の固有情報７７５が存在しなければ、第一の情報７７１は他のいかなる情報ともリンク付けしない。
【０２９４】
第一の情報７７１、第二の情報７７２を再生する場合は、第一の情報７７１、第二の情報７７２が再生されるように読取部４１２および出力部４１４は動作する。
【０２９５】
なお、第一の情報７７１、第二の情報７７２は、例えば、オーディオ情報、動画情報、静止画情報、テキスト情報、その他の情報などである。固有情報７７４、７７５は、例えばＩＳＲＣコードなどである。
【０２９６】
記録再生装置４１１は、情報の読み取り動作と書き込み動作との両方を行う読書部４１２を備えるが、読書部４１２が含む読取り動作を行う読取り部と書込み動作を行う書込み部とが別々に記録再生装置４１１に設けられてもよい。
【０２９７】
本実施の形態によると、電子音楽配信で購入したオーディオ情報と静止画情報とが同じ固有情報を備えていれば、そのオーディオ情報は、常に配信された静止画情報としかリンク付けできないように制御することができる。また、配信された静止画情報とＣＤやＤＶＤからコピーされたオーディオ情報とのリンク付けも禁止することができる。この結果、オーディオ情報と静止画情報が対として再生されるという配信側の意図を守ることができる。また、テキスト情報がある場合も、静止画情報と同様に扱われることができる。
【０２９８】
（実施の形態３７）
図４２は、本発明の実施の形態３７の記録再生装置４２１を示す。記録再生装置４２１は、読書部４２２と、制御部４２３と、出力部４２４とを備える。制御部４２３は、リンク付制御部４２５を備える。情報記録媒体４２６は、第一の情報７８１と、第一の情報７８１の再生を管理するための管理情報７８３と、第一の情報７８１を特定するための第一の固有情報７８４とを含む。
【０２９９】
第一の情報７８１を他の情報とリンク付けする場合、読書部４２２は、管理情報７８３と、第一の固有情報７８４を含む複数の固有情報とを情報記録媒体４２６から読み出し、制御部４２３へ出力する。リンク付制御部４２５は、第一の固有情報７８４を含む複数の固有情報を解読し、第一の固有情報７８４で特定される第二の固有情報７８５があるか否かを判定する。判定の結果、第二の固有情報７８５が存在していれば、リンク付制御部４２５は、第二の固有情報７８５から特定される第二の情報７８２（第二の情報７８２は情報記録媒体４２６に記録されている）と第一の情報７８１とをリンク付けするように管理情報７８３を書き換える。しかしながら、第二の固有情報７８５が存在しなければ、リンク付制御部４２５は、第一の情報７８１と、第一の固有情報７８４から特定される固有情報が付与されていない情報とのリンク付けを許可する。
【０３００】
第一の情報７８１、第二の情報７８２を再生する場合は、第一の情報７８１、第二の情報７８２が再生されるように読取部４２２および出力部４２４は動作する。
【０３０１】
なお、第一の情報７８１、第二の情報７８２は、例えば、オーディオ情報、動画情報、静止画情報、テキスト情報、その他の情報などである。固有情報７８４、７８５は、例えばＩＳＲＣコードなどである。
【０３０２】
記録再生装置４２１は、情報の読み取り動作と書き込み動作との両方を行う読書部４２２を備えるが、読書部４２２が含む読取り動作を行う読取り部と書込み動作を行う書込み部とが別々に記録再生装置４２１に設けられてもよい。
【０３０３】
本実施の形態によると、電子音楽配信でユーザが購入したオーディオ情報と静止画情報とが同じ固有情報を備えていれば、そのオーディオ情報は常に配信された静止画情報としかリンク付けできないように制御することができる。また一方、ＣＤやＤＶＤからコピーした固有情報が付与されたオーディオ情報には、ユーザがデジタルスチルカメラ等で撮影した固有情報が付与されていない静止画情報を貼り付けることが可能となる。また、静止画情報の代わりにまたは静止画情報とともにテキスト情報が電子配信される場合も、テキスト情報は静止画情報と同様に扱われる。
【０３０４】
（実施の形態３８）
図４３は、本発明の実施の形態３８の再生装置４３１を示す。再生装置４３１は、読取部４３２と、制御部４３３と、出力部４３４とを備える。制御部４３３は再生制御部４３５を備える。情報記録媒体４３６は、静止画情報７９１と、静止画情報７９１の再生を管理するための静止画管理情報７９３と、静止画情報７９１を特定するための第一の固有情報７９４とを含む。
【０３０５】
静止画情報７９１を再生する場合、読取部４３２は、静止画管理情報７９３と、第一の固有情報７９４とを情報記録媒体４３６から読み出し、制御部４３３へ出力する。制御部４３３が備える再生制御部４３５は、第一の固有情報７９４が情報記録媒体４３６に記録されていることが判明すれば、さらに管理情報７９３を解読し、静止画情報７９１が他の情報とリンク付けされているか否かを判定する。判定の結果、リンク付けされていないことが判明すれば、静止画情報７９１を再生しないように読取部４３２を制御する。判定の結果、オーディオ情報７９２とリンク付けされていることが判明すれば、制御部４３３は、オーディオ情報７９２と静止画情報７９１とを再生するように読取部４３２を制御する。読取部４３２は静止画情報７９１とオーディオ情報７９２とを情報記録媒体４３６から読み出し、出力部４３４へ出力する。出力部４３４は、読取部４３２から受け取った静止画情報７９１とオーディオ情報７９２とを出力する。
【０３０６】
なお、静止画情報７９１の代わりにオーディオ情報、動画情報、テキスト情報、その他の情報に関して、再生装置４３１による再生処理が行われてもよい。
【０３０７】
本実施の形態によると、固有情報がそれぞれ付与されたオーディオ情報と静止画情報とを電子音楽配信でユーザが購入した場合、そのオーディオ情報のみが移動等で他の情報記録媒体に移動されたとしても、その静止画情報が単独で再生されることを禁止することができる。この結果、静止画情報を特定のオーディオ情報の再生時にのみ再生するという配信側の意図を反映することができる。
【０３０８】
（実施の形態３９）
図４４Ａに、本発明の実施の形態３９の再生装置４４１を示す。再生装置４４１は、読取部４４２と、制御部４４３と、出力部４４５とを備える。また、制御部４４３は、リンク再生制御部４４４を備える。情報記録媒体４４６は、第一の情報８３１と、第二の情報８３２と、第一の情報８３１に関する著作権を示す著作権情報８３５と、第一の情報８３１の再生を管理するための管理情報８３６と、第二の情報８３２の再生を管理するための管理情報８３９とを含む。図４４Ｂに示すように、著作権情報８３５は、第一の情報を特定するための第一の固有情報８３７を含む。第二の情報８３２は、第二の情報８３２とリンク付けされている情報を特定するための第二の固有情報８３８を含む。第一の情報８３１と第二の情報８３２とがリンク付けされている場合には、第一の固有情報８３７と第二の固有情報８３８とは同じ固有情報である。
【０３０９】
第一の情報８３１、第二の情報８３２は、例えば、オーディオ情報、動画情報、静止画情報、テキスト情報、その他の情報などである。より具体的には、第一の情報８３１は、オーディオ情報、動画情報のうちの少なくとも一方であり、第二の情報８３２は、静止画情報、テキスト情報のうちの少なくとも一方である。第一の固有情報８３７および第二の固有情報８３８は、例えばＩＳＲＣコードなどである。
【０３１０】
制御部４４３は制御信号８４１を読取部４４２へ出力することにより読取部４４２を制御する。制御部４４３は制御信号８４２を出力部４４５へ出力することにより出力部４４５を制御する。
【０３１１】
第一の情報８３１および第二の情報８３２を再生する場合、読取部４４２は、管理情報８３６と管理情報８３９と著作権情報８３５とを情報記録媒体４４６から読み出し、制御部４４３へ出力する。制御部４４３が備えるリンク再生制御部４４４は、管理情報８３６と管理情報８３９とを解読して、情報記録媒体４４６内の第一の情報８３１の記録位置と、第二の情報８３２の記録位置とを認識し、それらの記録位置に従って第一の情報８３１と第二の情報８３２を読み取るよう、読取部４４２を制御する。
【０３１２】
読取部４４２は第一の情報８３１と第二の情報８３２とを情報記録媒体４４６から読み取り、第一の情報８３１を出力部４４５へ出力する。また、第二の情報８３２に関しては、読取部４４２は第二の情報８３２が含む第二の固有情報８３８を制御部４４３へ出力し、第二の情報８３２の残りを出力部４４５へ出力する。
【０３１３】
リンク再生制御部４４４は、著作権情報８３５の中から第一の固有情報８３７を検索し、第一の固有情報８３７と第二の固有情報８３８とを比較する。比較した結果、第一の固有情報８３７と第二の固有情報８３８とが同じ固有情報である場合（すなわち、第一の情報８３１と第二の情報８３２とがリンク付けされている場合）、リンク再生制御部４４４は、第一の情報８３１と第二の情報８３２とを再生するように、読取部４４２と出力部４４５とを制御する。出力部４４５は読取部４４２から受け取った第一の情報８３１と第二の情報８３２とを出力する。
【０３１４】
しかしながら、比較した結果、第一の固有情報８３７と第二の固有情報８３８とが同じ固有情報でない場合（すなわち、第一の情報８３１と第二の情報８３２とがリンク付けされていない場合）には、リンク再生制御部４４４は、第一の情報８３１は再生するが第二の情報８３２を再生しないように出力部４４５を制御する。もしくは、第一の固有情報８３７と第二の固有情報８３８とが同じ固有情報でない場合には、第一の情報８３１と第二の情報８３２との両方を再生しないように出力部４４５を制御しても良い。
【０３１５】
本実施の形態によると、リンク付けされたオーディオ情報と静止画情報とを再生する場合、オーディオ情報の固有情報と静止画情報の固有情報とを比較することにより、オーディオ情報と静止画情報の再生の実行を制御することができる。例えば、リンク付けされたオーディオ情報と静止画情報とを含む情報コンテンツを電子音楽配信でユーザが購入して情報記録媒体に記録する場合、このリンク関係は情報コンテンツを作成した音楽会社の意図を反映するものであるため、記録後、ユーザによってリンク関係が変更されてはいけない。つまり、情報コンテンツに含まれる静止画情報は、他のオーディオ情報と共に再生されないようにする必要がある。このような情報コンテンツを情報記録媒体に記録する場合、オーディオ情報と静止画情報とをリンク付けし、さらに、その静止画情報がオーディオ情報を特定するための固有情報を含むように記録しておく。これにより、仮に、ユーザがオーディオ情報と静止画情報とのリンク関係を変更したとしても、本実施の形態に従って静止画情報を再生すれば、電子音楽配信で購入した静止画情報が他のオーディオ情報と共に再生されることはなく、音楽会社の意図を守ることができる。
【０３１６】
【発明の効果】
本発明の情報記録媒体は情報の再生を制限するための再生制限情報を含み、そのことにより、著作権者が定めた情報の再生の制限に従って情報を再生することが出来る。
【０３１７】
本発明によれば、ＣＤやＤＶＤからのコピーのような従来の世代型管理のコピー制御方式で管理されるオーディオ情報と、移動のような電子音楽配信で適用されているコピー制御方式で管理されるオーディオ情報とを一つの情報記録媒体で管理することができる。また、オーディオ情報に加えて、著作権が主張される静止画情報やテキスト情報も管理することができ、オーディオ情報と静止画情報とテキスト情報とのそれぞれの間のリンク付け関係を示す著作権情報も管理することができる。さらには、電子音楽配信で配信される再生制限情報が関連付けられたオーディオ情報等のコンテンツも管理できる。
【図面の簡単な説明】
【図１】実施の形態１の情報記録媒体を示す図
【図２】実施の形態１の管理情報ファイルを示す図
【図３】実施の形態１のオーディオコピー情報を示す図
【図４】実施の形態１のオーディオ再生制限情報を示す図
【図５】実施の形態１のオーディオ編集制限情報を示す図
【図６】実施の形態１の静止画コピー制御情報を示す図
【図７Ａ】実施の形態１の静止画再生制限情報を示す図
【図７Ｂ】実施の形態１の静止画編集制限情報を示す図
【図７Ｃ】実施の形態１の静止画情報のデータ構造を示す図
【図８】実施の形態４の情報記録媒体を示す図
【図９Ａ】実施の形態４の管理情報ファイルを示す図
【図９Ｂ】実施の形態４の権利情報ファイルを示す図
【図１０Ａ】実施の形態５の管理情報ファイルを示す図
【図１０Ｂ】実施の形態５の権利情報ファイルを示す図
【図１１】テキスト情報構造を示す図
【図１２Ａ】実施の形態６の管理情報ファイルを示す図
【図１２Ｂ】実施の形態６のテキスト情報ファイルを示す図
【図１３】実施の形態７の記録装置を示す図
【図１４】実施の形態９の再生装置を示す図
【図１５】実施の形態１０の再生装置を示す図
【図１６】実施の形態１１の記録装置を示す図
【図１７】実施の形態１２の記録再生装置を示す図
【図１８】実施の形態１３の記録再生装置を示す図
【図１９】実施の形態１４の記録再生装置を示す図
【図２０】実施の形態１５の記録再生装置を示す図
【図２１】実施の形態１６の記録再生装置を示す図
【図２２】実施の形態１７の記録再生装置を示す図
【図２３】実施の形態１８の記録再生装置を示す図
【図２４】実施の形態１９の再生装置を示す図
【図２５Ａ】実施の形態２０の記録再生装置を示す図
【図２５Ｂ】実施の形態２０のオーディオ著作権情報を示す図
【図２６Ａ】実施の形態２１の再生装置を示す図
【図２６Ｂ】実施の形態２１のオーディオ著作権情報を示す図
【図２７】実施の形態２２の再生装置を示す図
【図２８】実施の形態２３の再生装置を示す図
【図２９】実施の形態２４の再生装置を示す図
【図３０】実施の形態２５の再生装置を示す図
【図３１】実施の形態２６の再生装置を示す図
【図３２】実施の形態２７の再生装置を示す図
【図３３】実施の形態２８の再生装置を示す図
【図３４】実施の形態２９の再生装置を示す図
【図３５】実施の形態３０の再生装置を示す図
【図３６】実施の形態３１の記録再生装置を示す図
【図３７】実施の形態３２の記録装置を示す図
【図３８】実施の形態３３の記録再生装置を示す図
【図３９】実施の形態３４の記録装置を示す図
【図４０】実施の形態３５の記録再生装置を示す図
【図４１】実施の形態３６の記録再生装置を示す図
【図４２】実施の形態３７の記録再生装置を示す図
【図４３】実施の形態３８の再生装置を示す図
【図４４Ａ】実施の形態３９の再生装置を示す図
【図４４Ｂ】実施の形態３９の著作権情報を示す図
【符号の説明】
１３１　記録装置
１３２　記録部
１３３　メモリ部
１３４　制御部
１３５　取得部
１３６　情報記録媒体
１３７　コピー制御部
１４１　再生装置
１４２　読取部
１４３　制御部
１４４　出力部
１４５　情報記録媒体
１４６　コピー制御部
１５１　再生装置
１５２　読取部
１５３　制御部
１５４　出力部
１５５　情報記録媒体
１５６　コピー制御部
１５７　リンク解読部
１６１　記録装置
１６２　記録部
１６３　制御部
１６４　コピー制御部
１６５　取得部
１６６　情報記録媒体
１７１　記録再生装置
１７２　読書部
１７３　制御部
１７４　出力部
１７５　情報記録媒体
１７６　移動制御部
１８１　記録再生装置
１８２　読書部
１８３　制御部
１８４　出力部
１８５　情報記録媒体
１８６　移動制御部
１８７　表示出力部
１９１　記録再生装置
１９２　読書部
１９３　制御部
１９４　出力部
１９５　情報記録媒体
１９６　移動制御部
２０１　記録再生装置
２０２　読書部
２０３　制御部
２０４　入出力部
２０５　情報記録媒体
２０６　移動制御部
２１１　記録再生装置
２１２　読書部
２１３　制御部
２１４　出力部
２１５　情報記録媒体
２１６　移動制御部
２１７　リンク解読部
２２１　記録再生装置
２２２　読書部
２２３　制御部
２２４　出力部
２２５　情報記録媒体
２２６　移動制御部
２３１　記録再生装置
２３２　読書部
２３３　制御部
２３４　出力部
２３５　情報記録媒体
２３６　編集制御部
２３７　表示出力部
２４１　再生装置
２４２　読取部
２４３　メモリ部
２４４　制御部
２４５　出力部
２４６　情報記録媒体
２５１　記録再生装置
２５２　読書部
２５３　制御部
２５４　取得部
２５５　情報記録媒体
２５６　表示出力部
２６１　再生装置
２６２　読取部
２６３　制御部
２６４　出力部
２６５　情報記録媒体
２６６　表示出力部
２７１　再生装置
２７２　読取部
２７３　メモリ部
２７４　制御部
２７５　出力部
２７６　再生許可時間情報制御部
２７７　情報記録媒体
２８１　再生装置
２８２　読取部
２８３　クロック
２８４　制御部
２８５　出力部
２８６　情報記録媒体
２８７　再生許可期限情報制御部
２９１　再生装置
２９２　読取部
２９３　制御部
２９４　出力部
２９５　情報記録媒体
２９６　再生許可領域情報制御部
３０１　再生装置
３０２　読取部
３０３　メモリ部
３０４　制御部
３０５　出力部
３０６　再生許可回数情報制御部
３０７　情報記録媒体
３１１　再生装置
３１２　読取部
３１３　メモリ部
３１４　制御部
３１５　出力部
３１６　初回再生時以降再生許可期間情報制御部
３１７　クロック
３１８　情報記録媒体
３２１　再生装置
３２２　読取部
３２３　制御部
３２４　出力部
３２５　再生品質情報制御部
３２６　情報記録媒体
３３１　再生装置
３３２　読取部
３３３　制御部
３３４　出力部
３３５　再生許可／不許可情報制御部
３３６　情報記録媒体
３４１　再生装置
３４２　読取部
３４３　制御部
３４４　出力部
３４５　情報記録媒体
３４６　再生許可／不許可情報制御部
３４７　リンク解読部
３５１　再生装置
３５２　読取部
３５３　制御部
３５４　出力部
３５５　常時再生許可情報制御部
３５６　情報記録媒体
３６１　記録再生装置
３６２　読書部
３６３　制御部
３６４　出力部
３６５　編集制御部
３６６　情報記録媒体
３７１　記録装置
３７２　記録部
３７３　制御部
３７４　編集制御部
３７５　取得部
３７６　情報記録媒体
３８１　記録再生装置
３８２　読書部
３８３　制御部
３８４　出力部
３８５　リンク情報制御部
３８６　情報記録媒体
３９１　記録装置
３９２　読書部
３９３　制御部
３９４　取得部
３９５　リンク情報制御部
３９６　情報記録媒体
４０１　記録再生装置
４０２　読書部
４０３　制御部
４０４　出力部
４０５　編集制御部
４０６　情報記録媒体
４１１　記録再生装置
４１２　読書部
４１３　制御部
４１４　出力部
４１５　限定リンク付制御部
４１６　情報記録媒体
４２１　記録再生装置
４２２　読書部
４２３　制御部
４２４　出力部
４２５　リンク付制御部
４２６　情報記録媒体
４３１　再生装置
４３２　読取部
４３３　制御部
４３４　出力部
４３５　再生制御部
４３６　情報記録媒体
【図１】
2004005939.tif 000003
【図２】
2004005939.tif 000004
【図３】
2004005939.tif 000005
【図４】
2004005939.tif 000006
【図５】
2004005939.tif 000007
【図６】
2004005939.tif 000008
【図７Ａ】
2004005939.tif 000009
【図７Ｂ】
2004005939.tif 000010
【図７Ｃ】
2004005939.tif 000011
【図８】
2004005939.tif 000012
【図９Ａ】
2004005939.tif 000013
【図９Ｂ】
2004005939.tif 000014
【図１０Ａ】
2004005939.tif 000015
【図１０Ｂ】
2004005939.tif 000016
【図１１】
2004005939.tif 000017
【図１２Ａ】
2004005939.tif 000018
【図１２Ｂ】
2004005939.tif 000019
【図１３】
2004005939.tif 000020
【図１４】
2004005939.tif 000021
【図１５】
2004005939.tif 000022
【図１６】
2004005939.tif 000023
【図１７】
2004005939.tif 000024
【図１８】
2004005939.tif 000025
【図１９】
2004005939.tif 000026
【図２０】
2004005939.tif 000027
【図２１】
2004005939.tif 000028
【図２２】
2004005939.tif 000029
【図２３】
2004005939.tif 000030
【図２４】
2004005939.tif 000031
【図２５Ａ】
2004005939.tif 000032
【図２５Ｂ】
2004005939.tif 000033
【図２６Ａ】
2004005939.tif 000034
【図２６Ｂ】
2004005939.tif 000035
【図２７】
2004005939.tif 000036
【図２８】
2004005939.tif 000037
【図２９】
2004005939.tif 000038
【図３０】
2004005939.tif 000039
【図３１】
2004005939.tif 000040
【図３２】
2004005939.tif 000041
【図３３】
2004005939.tif 000042
【図３４】
2004005939.tif 000043
【図３５】
2004005939.tif 000044
【図３６】
2004005939.tif 000045
【図３７】
2004005939.tif 000046
【図３８】
2004005939.tif 000047
【図３９】
2004005939.tif 000048
【図４０】
2004005939.tif 000049
【図４１】
2004005939.tif 000050
【図４２】
2004005939.tif 000051
【図４３】
2004005939.tif 000052
【図４４Ａ】
2004005939.tif 000053
【図４４Ｂ】
2004005939.tif 000054